(57)【要約】【課題】ユーザが撮影画像を整理するとき、ユーザが分類したい条件で分類、仕分を行い、その手間を大幅に削減することが可能な携帯情報端末装置を提供する。【解決手段】撮影部１２と付加情報設定部１１と画像記憶部１５と保存設定部１４とを具備する携帯情報端末装置を用いる。撮影部１２は、ユーザの操作に基づいて、第１画像を撮影する。付加情報設定部１１は、ユーザの入力に基づいて、画像を分類する複数の分類情報のうちの少なくとも一つを、第１画像の第１分類情報として設定する。画像記憶部１５は、複数の分類情報のうちの少なくとも一つに関連付けられた複数の情報保存部を備える。保存設定部１４は、複数の情報保存部のうちの第１分類情報に関連付けられた第１情報保存部に第１画像を記憶する。【選択図】図１
2007094518.tif 000002
【特許請求の範囲】
【請求項１】
ユーザの操作に基づいて、第１画像を撮影する撮影部と、
前記ユーザの入力に基づいて、画像を分類するための複数の分類情報のうちの少なくとも一つを、前記第１画像の第１分類情報として設定する付加情報設定部と、
前記第１分類情報に関連付けられた前記第１画像を記憶部に記憶する保存設定部と
を具備する
携帯情報端末装置。
【請求項２】
請求項１に記載の携帯情報端末装置において、
前記複数の分類情報のうちの少なくとも一つに関連付けられた複数の情報保存部を備える前記記憶部を更に具備し、
前記保存設定部は、前記複数の情報保存部のうちの前記第１分類情報に関連付けられた第１情報保存部に前記第１画像を記憶する
携帯情報端末装置。
【請求項３】
請求項１又は２に記載の携帯情報端末装置において、
前記付加情報設定部は、
前記ユーザの入力に基づいて、前記複数の分類情報を登録する付加情報登録部と、
登録された前記複数の分類情報を記憶する付加情報記憶部と、
前記ユーザの入力に基づいて、記憶された前記複数の分類情報のうちの少なくとも一つを前記第１分類情報として選択し、前記第１画像に関連付ける付加情報選択部と
を備える
携帯情報端末装置。
【請求項４】
請求項２に記載の携帯情報端末装置において、
前記保存設定部は、
前記ユーザの入力に基づいて、前記複数の情報保存部の各々を、前記複数の分類情報のうちの少なくとも一つと関連付ける保存条件選択部と、
前記複数の情報保存部と前記複数の分類情報との関連付けを示す関連付け情報を記憶する保存条件記憶部と、
前記関連付け情報に基づいて、前記第１情報保存部に前記第１画像を記憶する付加情報識別部と
を備える
携帯情報端末装置。
【請求項５】
請求項１乃至４のいずれか一項に記載の携帯情報端末装置において、
前記ユーザの入力に基づいて、前記第１画像の内容のレベルとしてのレベル情報を設定し、前記第１分類情報に含ませるレベル設定部を更に具備する
携帯情報端末装置。
【請求項６】
請求項５に記載の携帯情報端末装置において、
前記保存設定部は、前記記憶部に新たに前記第１画像を記憶するとき、前記記憶部に充分な空きが無い場合、前記レベル情報に基づいて、前記第１情報保存部に既に記憶されている既存画像のうちのレベルの最も低い画像を除いて、前記第１画像を記憶する領域を確保する
携帯情報端末装置。
【請求項７】
請求項１乃至６のいずれか一項に記載の携帯情報端末装置において、
前記複数の分類情報のうちの少なくとも一つとしての選択分類情報に基づいて、前記記憶部から前記選択分類情報に対応する画像を抽出する抽出部を更に具備する
携帯情報端末装置。
【請求項８】
携帯情報端末装置と通信が可能な情報処理装置であって、
ここで、前記携帯情報端末装置は、
ユーザの操作に基づいて、第１画像を撮影する撮影部と、
前記ユーザの入力に基づいて、画像を分類する複数の携帯画像分類情報のうちの少なくとも一つを、前記第１画像の第１携帯画像分類情報として設定する付加情報設定部と、
前記複数の携帯画像分類情報のうちの少なくとも一つに関連付けられた複数の携帯画像保存部を備える携帯記憶部と、
前記複数の携帯画像保存部のうちの前記第１携帯画像分類情報に関連付けられた第１携帯画像保存部に前記第１画像を記憶する携帯画像保存設定部と
を備え、
前記情報処理装置は、
画像を分類するための複数の画像分類情報のうちの少なくとも一つに関連付けられた複数の画像保存部を備える記憶部と、
前記複数の画像保存部のうち、前記複数の画像分類情報のうちの前記第１携帯画像分類情報に対応するものに関連付けられた第１画像保存部に、前記第１画像を取り込む取込設定部と
を具備する
情報処理装置。
【請求項９】
請求項８に記載の情報処理装置において、
前記取込設定部は、
前記ユーザの入力に基づいて、前記複数の画像保存部の各々を、前記複数の画像分類情報のうちの少なくとも一つと関連付ける取込条件選択部と、
前記複数の画像保存部と前記複数の画像分類情報との関連付けを示す画像関連付け情報を記憶する取込条件記憶部と、
前記画像関連付け情報に基づいて、前記第１画像保存部に前記第１画像を取り込む付加情報識別部と
を備える
情報処理装置。
【請求項１０】
請求項８又は９に記載の情報処理装置において、
前記ユーザの入力に基づいて、前記複数の画像分類情報を登録する付加情報登録部と、
登録された前記複数の画像分類情報を記憶する付加情報記憶部と、
前記複数の画像分類情報と前記複数の携帯画像分類情報とが同じでない場合、両者が同じになるように前記複数の画像分類情報及び前記複数の携帯画像分類情報の各々について不足分を追加する設定同期部と
を更に具備する
情報処理装置。
【請求項１１】
請求項８乃至１０のいずれか一項に記載の情報処理装置において、
前記携帯情報端末装置は、前記ユーザの入力に基づいて、前記第１画像の内容のレベルとしての携帯画像レベル情報を設定し、前記第１携帯画像分類情報に含ませるレベル設定部を更に備え、
前記複数の画像分類情報は、画像の内容のレベルを示すレベル情報を含む
情報処理装置。
【請求項１２】
請求項８乃至１１のいずれか一項に記載の情報処理装置において、
前記複数の画像分類情報のうちの少なくとも一つとしての選択分類情報に基づいて、前記記憶部から前記選択分類情報に対応する画像を抽出する抽出部を更に具備する
情報処理装置。
【請求項１３】
携帯情報端末装置を用いた画像整理方法であって、
ここで、前記携帯情報端末装置は、撮影部と付加情報設定部と記憶部と保存設定部とを備え、
前記記憶部が前記複数の分類情報のうちの少なくとも一つに関連付けられた複数の情報保存部を含み、
（ａ）前記撮影部が、ユーザの操作に基づいて、第１画像を撮影するステップと、
（ｂ）前記付加情報設定部が、前記ユーザの入力に基づいて、画像を分類するための複数の分類情報のうちの少なくとも一つを、前記第１画像の第１分類情報として設定するステップと、
（ｃ）前記保存設定部が、前記複数の情報保存部のうちの前記第１分類情報に関連付けられた第１情報保存部に前記第１画像を記憶するステップと
を具備する
画像整理方法。
【請求項１４】
請求項１３に記載の画像整理方法において、
前記付加情報設定部は、付加情報登録部と付加情報記憶部と付加情報選択部とを含み、
前記（ｂ）ステップは、
（ｂ１）前記付加情報登録部が、前記ユーザの入力に基づいて、前記複数の分類情報を登録するステップと、
（ｂ２）前記付加情報記憶部が、登録された前記複数の分類情報を記憶するステップと、
（ｂ３）前記付加情報選択部が、前記ユーザの入力に基づいて、記憶された前記複数の分類情報のうちの少なくとも一つを前記第１分類情報として選択し、前記第１画像に関連付けるステップと
を備える
画像整理方法。
【請求項１５】
請求項１３に記載の画像整理方法において、
前記保存設定部は、保存条件選択部と保存条件記憶部と付加情報識別部とを含み、
前記（ｃ）ステップは、
（ｃ１）前記保存条件選択部が、前記ユーザの入力に基づいて、前記複数の情報保存部の各々を、前記複数の分類情報のうちの少なくとも一つと関連付けるステップと、
（ｃ２）前記保存条件記憶部が、前記複数の情報保存部と前記複数の分類情報との関連付けを示す関連付け情報を記憶するステップと、
（ｃ３）前記付加情報識別部が、前記関連付け情報に基づいて、前記第１情報保存部に前記第１画像を記憶するステップと
を備える
画像整理方法。
【請求項１６】
請求項１３乃至１５のいずれか一項に記載の画像整理方法において、
前記携帯情報端末装置は、レベル設定部を更に備え、
（ｄ）前記レベル設定部が、前記ユーザの入力に基づいて、前記第１画像の内容のレベルとしてのレベル情報を設定し、前記第１分類情報に含ませるステップを更に具備し、
前記（ｃ）ステップは、
（ｃ４）前記保存設定部が、前記第１情報保存部に新たに前記第１画像を記憶するとき、前記第１情報保存部に充分な空きが無い場合、前記レベル情報に基づいて、前記第１情報保存部に既に記憶されている既存画像のうちのレベルの最も低い画像を除いて、前記第１画像を記憶する領域を確保するステップを更に備える
画像整理方法。
【請求項１７】
請求項１３乃至１５のいずれか一項に記載の画像整理方法において、
前記携帯情報端末装置は、抽出部を更に備え、
（ｅ）前記抽出部が、前記複数の分類情報のうちの少なくとも一つとしての選択分類情報に基づいて、前記記憶部から前記選択分類情報に対応する画像を抽出するステップを更に具備する
画像整理方法。
【請求項１８】
請求項１７に記載の画像整理方法において、
前記携帯情報端末装置は、レベル設定部を更に備え、
（ｆ）前記レベル設定部が、前記ユーザの入力に基づいて、前記第１画像の内容のレベルとしてのレベル情報を設定し、前記第１分類情報に含ませるステップを更に備え、
前記（ｅ）ステップは、
（ｅ１）前記抽出部が、前記レベル情報に基づいて、前記記憶部から前記選択分類情報に対応する画像を抽出するステップを備える
画像整理方法。
【請求項１９】
携帯情報端末装置と通信が可能な情報処理装置を用いた画像整理方法であって、
ここで、前記携帯情報端末装置は、
ユーザの操作に基づいて、第１画像を撮影する撮影部と、
前記ユーザの入力に基づいて、画像を分類するための複数の携帯画像分類情報のうちの少なくとも一つを、前記第１画像の第１携帯画像分類情報として設定する付加情報設定部と、
前記複数の携帯画像分類情報のうちの少なくとも一つに関連付けられた複数の携帯画像保存部を備える携帯記憶部と、
前記複数の携帯画像保存部のうちの前記第１携帯画像分類情報に関連付けられた第１携帯画像保存部に前記第１画像を記憶する携帯画像保存設定部と
を備え、
前記情報処理装置は、記憶部と取込設定部とを備え、
前記記憶部は、画像を分類する複数の画像分類情報のうちの少なくとも一つに関連付けられた複数の画像保存部を含み、
（ａ）前記取込設定部が、前記複数の画像保存部の各々における前記複数の画像分類情報と、前記複数の携帯画像保存部の各々における前記複数の携帯画像分類情報とを比較するステップと、
（ｂ）前記取込設定部が、前記複数の画像保存部のうち、前記複数の画像分類情報のうちの前記第１携帯画像分類情報に対応するものに関連付けられた第１画像保存部に、前記第１画像を取り込むステップと
を具備する
画像整理方法。
【請求項２０】
請求項１９に記載の画像整理方法において、
前記取込設定部は、取込条件選択部と取込条件記憶部と付加情報識別部とを含み、
前記（ｂ）ステップは、
（ｂ１）前記取込条件選択部が、前記ユーザの入力に基づいて、前記複数の画像保存部の各々を、前記複数の画像分類情報のうちの少なくとも一つと関連付けるステップと、
（ｂ２）前記取込条件記憶部が、前記複数の画像保存部と前記複数の画像分類情報との関連付けを示す画像関連付け情報を記憶するステップと、
（ｂ３）前記付加情報識別部が、前記画像関連付け情報に基づいて、前記第１画像保存部に前記第１画像を取り込むステップと
を備える
画像整理方法。
【請求項２１】
請求項１９又は２０に記載の画像整理方法において、
前記情報処理装置は、付加情報登録部と付加情報記憶部と設定同期部とを更に備え、
（ｃ）前記付加情報登録部が、前記ユーザの入力に基づいて、前記複数の画像分類情報を登録するステップと、
（ｄ）前記付加情報記憶部が、登録された前記複数の画像分類情報を記憶するステップと、
（ｅ）前記設定同期部が、前記複数の画像分類情報と前記複数の携帯画像分類情報とが同じでない場合、両者が同じになるように前記複数の画像分類情報及び前記複数の携帯画像分類情報の各々について不足分を追加するステップと
を更に具備する
画像整理方法。
【請求項２２】
請求項１９乃至２１のいずれか一項に記載の画像整理方法において、
前記携帯情報端末装置は、前記ユーザの入力に基づいて、前記第１画像の内容のレベルとしての携帯画像レベル情報を設定し、前記第１携帯画像分類情報に含ませるレベル設定部を更に備え、
前記複数の画像分類情報は、画像の内容のレベルを示すレベル情報を含む
画像整理方法。
【請求項２３】
請求項１９乃至２２のいずれか一項に記載の画像整理方法において、
前記情報処理装置は、抽出部を更に備え、
（ｆ）前記抽出部が、前記複数の画像分類情報のうちの少なくとも一つとしての選択分類情報に基づいて、前記記憶部から前記選択分類情報に対応する画像を抽出するステップを更に具備する
画像整理方法。
【請求項２４】
携帯情報端末装置を用いた画像整理方法を実行するためのプログラムであって、
ここで、前記携帯情報端末装置は、撮影部と付加情報設定部と記憶部と保存設定部とを備え、
前記記憶部が前記複数の分類情報のうちの少なくとも一つに関連付けられた複数の情報保存部を含み、
（ａ）前記撮影部が、ユーザの操作に基づいて、第１画像を撮影するステップと、
（ｂ）前記付加情報設定部が、前記ユーザの入力に基づいて、画像を分類するための複数の分類情報のうちの少なくとも一つを、前記第１画像の第１分類情報として設定するステップと、
（ｃ）前記保存設定部が、前記複数の情報保存部のうちの前記第１分類情報に関連付けられた第１情報保存部に前記第１画像を記憶するステップと
を具備する画像整理方法を実行するためのプログラム。
【請求項２５】
請求項２４に記載のプログラムにおいて、
前記付加情報設定部は、付加情報登録部と付加情報記憶部と付加情報選択部とを含み、
前記（ｂ）ステップは、
（ｂ１）前記付加情報登録部が、前記ユーザの入力に基づいて、前記複数の分類情報を登録するステップと、
（ｂ２）前記付加情報記憶部が、登録された前記複数の分類情報を記憶するステップと、
（ｂ３）前記付加情報選択部が、前記ユーザの入力に基づいて、記憶された前記複数の分類情報のうちの少なくとも一つを前記第１分類情報として選択し、前記第１画像に関連付けるステップと
を備える画像整理方法を実行するためのプログラム。
【請求項２６】
請求項２４に記載のプログラムにおいて、
前記保存設定部は、保存条件選択部と保存条件記憶部と付加情報識別部とを含み、
前記（ｃ）ステップは、
（ｃ１）前記保存条件選択部が、前記ユーザの入力に基づいて、前記複数の情報保存部の各々を、前記複数の分類情報のうちの少なくとも一つと関連付けるステップと、
（ｃ２）前記保存条件記憶部が、前記複数の情報保存部と前記複数の分類情報との関連付けを示す関連付け情報を記憶するステップと、
（ｃ３）前記付加情報識別部が、前記関連付け情報に基づいて、前記第１情報保存部に前記第１画像を記憶するステップと
を備える画像整理方法を実行するためのプログラム。
【請求項２７】
請求項２４乃至２６のいずれか一項に記載のプログラムにおいて、
前記携帯情報端末装置は、レベル設定部を更に備え、
（ｄ）前記レベル設定部が、前記ユーザの入力に基づいて、前記第１画像の内容のレベルとしてのレベル情報を設定し、前記第１分類情報に含ませるステップを更に具備し、
前記（ｃ）ステップは、
（ｃ４）前記保存設定部が、前記第１情報保存部に新たに前記第１画像を記憶するとき、前記第１情報保存部に充分な空きが無い場合、前記レベル情報に基づいて、前記第１情報保存部に既に記憶されている既存画像のうちのレベルの最も低い画像を除いて、前記第１画像を記憶する領域を確保するステップを更に備える
画像整理方法を実行するためのプログラム。
【請求項２８】
請求項２４乃至２６のいずれか一項に記載のプログラムにおいて、
前記携帯情報端末装置は、抽出部を更に備え、
（ｅ）前記抽出部が、前記複数の分類情報のうちの少なくとも一つとしての選択分類情報に基づいて、前記記憶部から前記選択分類情報に対応する画像を抽出するステップを更に具備する画像整理方法を実行するためのプログラム。
【請求項２９】
請求項２８に記載のプログラムにおいて、
前記携帯情報端末装置は、レベル設定部を更に備え、
（ｆ）前記レベル設定部が、前記ユーザの入力に基づいて、前記第１画像の内容のレベルとしてのレベル情報を設定し、前記第１分類情報に含ませるステップを更に備え、
前記（ｅ）ステップは、
（ｅ１）前記抽出部が、前記レベル情報に基づいて、前記記憶部から前記選択分類情報に対応する画像を抽出するステップを備える
画像整理方法を実行するためのプログラム。
【請求項３０】
携帯情報端末装置と通信が可能な情報処理装置を用いた画像整理方法を実行するためのプログラムであって、
ここで、前記携帯情報端末装置は、
ユーザの操作に基づいて、第１画像を撮影する撮影部と、
前記ユーザの入力に基づいて、画像を分類するための複数の携帯画像分類情報のうちの少なくとも一つを、前記第１画像の第１携帯画像分類情報として設定する付加情報設定部と、
前記複数の携帯画像分類情報のうちの少なくとも一つに関連付けられた複数の携帯画像保存部を備える携帯記憶部と、
前記複数の携帯画像保存部のうちの前記第１携帯画像分類情報に関連付けられた第１携帯画像保存部に前記第１画像を記憶する携帯画像保存設定部と
を備え、
前記情報処理装置は、記憶部と取込設定部とを備え、
前記記憶部は、画像を分類する複数の画像分類情報のうちの少なくとも一つに関連付けられた複数の画像保存部を含み、
（ａ）前記取込設定部が、前記複数の画像保存部の各々における前記複数の画像分類情報と、前記複数の携帯画像保存部の各々における前記複数の携帯画像分類情報とを比較するステップと、
（ｂ）前記取込設定部が、前記複数の画像保存部のうち、前記複数の画像分類情報のうちの前記第１携帯画像分類情報に対応するものに関連付けられた第１画像保存部に、前記第１画像を取り込むステップとを具備する画像整理方法を実行するためのプログラム。
【請求項３１】
請求項３０に記載のプログラムにおいて、
前記取込設定部は、取込条件選択部と取込条件記憶部と付加情報識別部とを含み、
前記（ｂ）ステップは、
（ｂ１）前記取込条件選択部が、前記ユーザの入力に基づいて、前記複数の画像保存部の各々を、前記複数の画像分類情報のうちの少なくとも一つと関連付けるステップと、
（ｂ２）前記取込条件記憶部が、前記複数の画像保存部と前記複数の画像分類情報との関連付けを示す画像関連付け情報を記憶するステップと、
（ｂ３）前記付加情報識別部が、前記画像関連付け情報に基づいて、前記第１画像保存部に前記第１画像を取り込むステップと
を備える画像整理方法を実行するためのプログラム。
【請求項３２】
請求項３０又は３１に記載のプログラムにおいて、
前記情報処理装置は、付加情報登録部と付加情報記憶部と設定同期部とを更に備え、
（ｃ）前記付加情報登録部が、前記ユーザの入力に基づいて、前記複数の画像分類情報を登録するステップと、
（ｄ）前記付加情報記憶部が、登録された前記複数の画像分類情報を記憶するステップと、
（ｅ）前記設定同期部が、前記複数の画像分類情報と前記複数の携帯画像分類情報とが同じでない場合、両者が同じになるように前記複数の画像分類情報及び前記複数の携帯画像分類情報の各々について不足分を追加するステップと
を更に具備する画像整理方法を実行するためのプログラム。
【請求項３３】
請求項３０乃至３２のいずれか一項に記載のプログラムにおいて、
前記携帯情報端末装置は、前記ユーザの入力に基づいて、前記第１画像の内容のレベルとしての携帯画像レベル情報を設定し、前記第１携帯画像分類情報に含ませるレベル設定部を更に備え、
前記複数の画像分類情報は、画像の内容のレベルを示すレベル情報を含む
画像整理方法を実行するためのプログラム。
【請求項３４】
請求項３０乃至３３のいずれか一項に記載のプログラムにおいて、
前記情報処理装置は、抽出部を更に備え、
（ｆ）前記抽出部が、前記複数の画像分類情報のうちの少なくとも一つとしての選択分類情報に基づいて、前記記憶部から前記選択分類情報に対応する画像を抽出するステップを更に具備する
画像整理方法を実行するためのプログラム。
【発明の詳細な説明】
【技術分野】
【０００１】
本発明は、携帯情報端末装置、情報処理装置、及び、画像整理方法に関する。特に、携帯情報端末装置で撮影する撮影画像の取り扱い易さを向上した携帯情報端末装置、情報処理装置、及び、画像整理方法に関する。
【背景技術】
【０００２】
ユーザに携行されるカメラ付きの携帯情報端末装置が知られている。カメラ付きの携帯情報端末装置は、携帯電話に例示される。携帯電話は、搭載されているカメラで撮影した画像（以下、「撮影画像」ともいう）を、通常、内部の記憶装置に保存する。そのとき、撮影画像には、当該撮影画像を特定するために、例えば、適当なファイル名、撮影場所を示す位置情報、撮影時間を示す時間情報が付加される。ユーザは、それらのファイル名、位置情報、及び時間情報により、撮影画像を分類して保存することができる。ただし、それ以上の分類、例えば、撮影ユーザ、撮影対象、シーン、ジャンルなど、ユーザが分類したい条件に基づき撮影画像を自動的に分類、仕分けすることはできない。ユーザが画像を撮影するとき、ユーザが分類したい条件に基づき撮影画像を自動的に分類、仕分けすることが可能な技術が望まれる。
【０００３】
ユーザは、携帯電話に保存された撮影画像を、パーソナルコンピュータのような取込機器に取り込んで整理して保存しようとする。ここで、携帯電話は携行品であるため、ユーザがカメラを利用するとき、複数のイベントに渡って連続的に利用することが多い。そのため、ファイル名、位置情報、及び時間情報だけで撮影画像を分類している場合、ユーザが分類したい条件とはいえず、取込機器に取り込んでから更に整理し直す必要があり、非常に手間がかかる。
【０００４】
更に、ユーザが分類したい条件に基づき撮影画像を分類し直すには、撮影後にユーザが手作業で行う必要がある。そのとき、撮影画像をこまめに整理しない場合、すなわち、撮影と整理との間に相当の期間がある場合、撮影した時点の状況を忘れることが多い。そのため、時間が経てば経つほど、誰が撮った写真であるのか、何の写真であるのかなど、わからなくなり、整理がより一層難しくなる。ユーザが撮影画像を整理するとき、分類、仕分けする手間を大幅に削減することが可能な技術が望まれる。
【０００５】
更に、携帯電話や取込機器に保存される撮影画像は膨大になる。そのため、撮影画像を検索しやすいように、各画像に何らかの情報を添付しておくことが好ましいが、現状では、ファイル名、位置情報、及び時間情報しか添付できない。また、撮影画像を取り込んで整理するときに、各画像ごとにキーワードとなるような情報を添付するには、撮影画像一枚一枚確認しながら行わなければならず、手間と時間が膨大になる。加えて、適切な情報を撮影画像に添付するためには、写真に関する情報を適切に覚えておく必要がある。それは、撮影画像が多いほど、時間が経つほど、困難になる。ユーザが撮影画像を検索するとき、的確な検索を可能とする技術が望まれる。
【０００６】
更に、膨大な撮影画像のなかには、上手く撮影できず不要と考えるものも多く含まれていることが多い。撮影画像を整理するとき、それらを保存しないように削除するためには、撮影画像一枚一枚確認しながら行わなければならず、手間と時間が膨大になる。撮影画像のうち、上手く撮影できたものを優先的に保存することを容易にする技術が望まれる。
【０００７】
関連する技術として、特開平１１−１７５５３３号公報に、画像検索装置が開示されている。この画像検索装置は、情報読込手段と、検索用情報作成手段と、検索用情報記録手段と、条件入力手段と、検索手段と、表示手段とを備えている。情報読込手段は、複数の画像情報を含む情報の読み込みを行う。検索用情報作成手段は、前記情報読込手段で読み込んだ情報に基づいて各画像情報毎に検索用情報を自動的に作成する。検索用情報記録手段は、前記検索用情報作成手段で作成した検索用情報を画像情報に関連付けて記録する。条件入力手段は、前記複数の画像情報のうちから抽出すべき画像情報の検索条件を入力する。検索手段は、前記条件入力手段で入力した検索条件を前記検索用情報と照合することにより、前記複数の画像情報のうちから検索条件に該当する画像情報を検索し、該当する画像情報を抽出する。表示手段は、前記検索手段で抽出した画像情報が示す画像を画面上に表示する。検索用情報は、例えば、撮影場所及び／又は撮影日時を示す。
【０００８】
特開２００２−１８３７４２号公報に、旅の電子アルバム作成方法および装置並びに電子アルバム作成用モバイルツールが開示されている。この旅の電子アルバム作成方法は、インターネットに接続されたサーバ内に、デジタル画像データを編集して電子アルバムを作成するプログラムソフトを備えている。該サーバは、デジタルカメラで撮影された画像データと、その画像の撮影時間データと、モバイル端末で取得された位置データと、その位置データを取得した時の時間データとを受信可能とされている。該サーバは、これら受信したそれぞれのデータを関連付けて、前記プログラムソフトにより電子アルバムを作成する。
【０００９】
特開２００４−２８０２５４号公報に、コンテンツ分類方法および装置が開示されている。このコンテンツ分類方法は、コンテンツを複数の分類規則の各々によってグループ分けした場合のグループの識別情報をコンテンツに関連づけた状態でコンテンツを保存し、前記複数の分類規則の少なくとも一つが指定された場合に、保存されたコンテンツをその指定された分類規則によりグループ分けされた状態で提示する。前記分類規則によりグループ分けされたコンテンツの中から、各グループの代表コンテンツを定め、新しく入力されたコンテンツをその分類規則によりグループ分けする際、各グループの代表コンテンツとの類似度を評価していずれのグループに分類するかを決定しても良い。
【００１０】
特開２００５−３３４４８号公報に、作業状況管理システムおよびプログラムの技術が開示されている。この作業状況管理システムは、情報処理装置とデジタルカメラとを備え、一連の作業を構成する各作業過程毎にカメラ撮影された各撮影画像をその作業状況確認用の資料として管理する。前記情報処理装置は、一連の作業を構成する各作業過程を分類化する。前記情報処理装置は、撮影計画記憶手段と、出力手段とを備える。撮影計画記憶手段は、作業過程毎に、この作業場面で予定している撮影内容と当該作業場面を識別する為のシーン識別情報とを対応付けた撮影計画情報を記憶管理する。出力手段は、前記撮影計画情報内のシーン識別情報をデジタルカメラへ送る。前記デジタルカメラは、保持手段と、付加手段と、出力手段とを備える。保持手段は、情報処理装置からのシーン識別情報を取得して記憶保持する。付加手段は、前記作業場面にて撮影された撮影画像にシーン識別情報を付加する。出力手段は、この付加手段によってシーン識別情報が付加された撮影画像を情報処理装置へ送る。前記情報処理装置は、デジタルカメラからのシーン識別情報付き撮影画像を前記撮影計画の分類体系に合わせて分類管理する。
【００１１】
【特許文献１】特開平１１−１７５５３３号
【特許文献２】特開２００２−１８３７４２号
【特許文献３】特開２００４−２８０２５４号
【特許文献４】特開２００５−３３４４８号
【発明の開示】
【発明が解決しようとする課題】
【００１２】
本発明の目的は、ユーザが画像を撮影するとき、ユーザが分類したい条件に基づき撮影画像を自動的に分類、仕分けすることが可能な携帯情報端末装置及び画像整理方法を提供することにある。
【００１３】
また、本発明の他の目的は、ユーザが撮影画像を整理するとき、ユーザが分類したい条件で分類、仕分を行い、その手間を大幅に削減することが可能な携帯情報端末装置、情報処理装置、及び、画像整理方法を提供することにある。
【００１４】
本発明の更に他の目的は、ユーザが撮影画像を検索するとき、的確な検索を可能とする携帯情報端末装置、情報処理装置、及び、画像整理方法を提供することにある。
【００１５】
本発明の別の目的は、撮影画像のうち、上手く撮影できたものを優先的に保存することを容易にする携帯情報端末装置、情報処理装置、及び、画像整理方法を提供することにある。
【課題を解決するための手段】
【００１６】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１７】
上記課題を解決するために、本発明の携帯情報端末装置は、撮影部（１２）と付加情報設定部（１１）と保存設定部（１４）とを具備する。撮影部（１２）は、ユーザの操作に基づいて、第１画像を撮影する。付加情報設定部（１１）は、ユーザの入力に基づいて、画像を分類するための複数の分類情報のうちの少なくとも一つを、第１画像の第１分類情報として設定する。保存設定部（１４）は、第１分類情報に関連付けられた第１画像を記憶部（１５）に記憶する。
【００１８】
上記の携帯情報端末装置は、記憶部（１５）を更に具備する。記憶部（１５）は、複数の分類情報のうちの少なくとも一つに関連付けられた複数の情報保存部を備える。保存設定部（１４）は、複数の情報保存部のうちの第１分類情報に関連付けられた第１情報保存部に第１画像を記憶する。
【００１９】
上記の携帯情報端末装置において、付加情報設定部（１１）は、付加情報登録部（３１）と付加情報記憶部（３２）と付加情報選択部（３３）とを備える。付加情報登録部（３１）は、ユーザの入力に基づいて、複数の分類情報を登録する。付加情報記憶部（３２）は、登録された複数の分類情報を記憶する。付加情報選択部（３３）は、ユーザの入力に基づいて、記憶された複数の分類情報のうちの少なくとも一つを第１分類情報として選択し、第１画像に関連付ける。
【００２０】
上記の携帯情報端末装置において、保存設定部（１４）は、保存条件選択部（３７）と保存条件記憶部（３６）と付加情報識別部（３５）とを備える。保存条件選択部（３７）は、ユーザの入力に基づいて、複数の情報保存部の各々を、複数の分類情報のうちの少なくとも一つと関連付ける。保存条件記憶部（３６）は、複数の情報保存部と複数の分類情報との関連付けを示す関連付け情報を記憶する。付加情報識別部（３５）は、関連付け情報に基づいて、第１情報保存部に第１画像を記憶する。
【００２１】
上記の携帯情報端末装置は、ユーザの入力に基づいて、第１画像の内容のレベルとしてのレベル情報を設定し、第１分類情報に含ませるレベル設定部（１３）を更に具備する。
【００２２】
上記の携帯情報端末装置において、保存設定部（１４）は、記憶部（１５）に新たに第１画像を記憶するとき、記憶部（１５）に充分な空きが無い場合、レベル情報に基づいて、第１情報保存部に既に記憶されている既存画像のうちのレベルの最も低い画像を除いて、第１画像を記憶する領域を確保する。
【００２３】
上記の携帯情報端末装置は、複数の分類情報のうちの少なくとも一つとしての選択分類情報に基づいて、記憶部（１５）から選択分類情報に対応する画像を抽出する抽出部（１６）を更に具備する。
【００２４】
上記課題を解決するために、本発明の情報処理装置は、携帯情報端末装置（１）と通信が可能な情報処理装置である。ここで、携帯情報端末装置（１）は、撮影部（１２）と付加情報設定部（１１）と携帯記憶部（１５）と携帯画像保存設定部（１４）とを備える。撮影部（１２）は、ユーザの操作に基づいて、第１画像を撮影する。付加情報設定部（１１）は、ユーザの入力に基づいて、画像を分類するための複数の携帯画像分類情報のうちの少なくとも一つを、第１画像の第１携帯画像分類情報として設定する。携帯記憶部（１５）は、複数の携帯画像分類情報のうちの少なくとも一つに関連付けられた複数の携帯画像保存部を備える。携帯画像保存設定部（１４）は、複数の携帯画像保存部のうちの第１携帯画像分類情報に関連付けられた第１携帯画像保存部に第１画像を記憶する。情報処理装置は、記憶部（２３）と取込設定部（２２）とを具備する。記憶部（２３）は、画像を分類する複数の画像分類情報のうちの少なくとも一つに関連付けられた複数の画像保存部を備える。取込設定部（２２）は、複数の画像保存部のうち、複数の画像分類情報のうちの第１携帯画像分類情報に対応するものに関連付けられた第１画像保存部に、第１画像を取り込む。
【００２５】
上記の情報処理装置において、取込設定部（２２）は、取込条件選択部（４７）と取込条件記憶部（４６）と付加情報識別部（４５）とを備える。取込条件選択部（４７）は、ユーザの入力に基づいて、複数の画像保存部の各々を、複数の画像分類情報のうちの少なくとも一つと関連付ける。取込条件記憶部（４６）は、複数の画像保存部と複数の画像分類情報との関連付けを示す画像関連付け情報を記憶する。付加情報識別部（４５）は、画像関連付け情報に基づいて、第１画像保存部に第１画像を取り込む。
【００２６】
上記の情報処理装置は、付加情報登録部（４１）と付加情報記憶部（４２）と設定同期部（１５）とを更に具備する。付加情報登録部（４１）は、ユーザの入力に基づいて、複数の画像分類情報を登録する。付加情報記憶部（４２）は、登録された複数の画像分類情報を記憶する。設定同期部（１５）は、複数の画像分類情報と複数の携帯画像分類情報とが同じでない場合、両者が同じになるように複数の画像分類情報及び複数の携帯画像分類情報の各々について不足分を追加する。
【００２７】
上記の情報処理装置において、携帯情報端末装置（１）は、ユーザの入力に基づいて、第１画像の内容のレベルとしての携帯画像レベル情報を設定し、第１携帯画像分類情報に含ませるレベル設定部（１３）を更に備える。複数の画像分類情報は、画像の内容のレベルを示すレベル情報を含む。
【００２８】
上記の情報処理装置は、複数の画像分類情報のうちの少なくとも一つとしての選択分類情報に基づいて、記憶部（２３）から選択分類情報に対応する画像を抽出する抽出部（２４）を更に具備する。
【００２９】
上記課題を解決するために、本発明の画像整理方法は、携帯情報端末装置（１）を用いた画像整理方法である。ここで、携帯情報端末装置（１）は、撮影部（１２）と付加情報設定部（１１）と記憶部（１５）と保存設定部（１４）とを備える。記憶部（１５）が複数の分類情報のうちの少なくとも一つに関連付けられた複数の情報保存部を含む。画像整理方法は、（ａ）撮影部（１２）が、ユーザの操作に基づいて、第１画像を撮影するステップと、（ｂ）付加情報設定部（１１）が、ユーザの入力に基づいて、画像を分類するための複数の分類情報のうちの少なくとも一つを、第１画像の第１分類情報として設定するステップと、（ｃ）保存設定部（１４）が、複数の情報保存部のうちの第１分類情報に関連付けられた第１情報保存部に第１画像を記憶するステップとを具備する。
【００３０】
上記の画像整理方法において、付加情報設定部（１１）は、付加情報登録部（３１）と付加情報記憶部（３２）と付加情報選択部（３３）とを含む。（ｂ）ステップは、（ｂ１）付加情報登録部（３１）が、ユーザの入力に基づいて、複数の分類情報を登録するステップと、（ｂ２）付加情報記憶部（３２）が、登録された複数の分類情報を記憶するステップと、（ｂ３）付加情報選択部（３３）が、ユーザの入力に基づいて、記憶された複数の分類情報のうちの少なくとも一つを第１分類情報として選択し、第１画像に関連付けるステップとを備える。
【００３１】
上記の画像整理方法において、保存設定部（１４）は、保存条件選択部（３７）と保存条件記憶部（３６）と付加情報識別部（３５）とを含む。（ｃ）ステップは、（ｃ１）保存条件選択部（３７）が、ユーザの入力に基づいて、複数の情報保存部の各々を、複数の分類情報のうちの少なくとも一つと関連付けるステップと、（ｃ２）保存条件記憶部（３６）が、複数の情報保存部と複数の分類情報との関連付けを示す関連付け情報を記憶するステップと、（ｃ３）付加情報識別部（３５）が、関連付け情報に基づいて、第１情報保存部に第１画像を記憶するステップとを備える。
【００３２】
上記の画像整理方法において、携帯情報端末装置（１）は、レベル設定部（１３）を更に備える。画像整理方法は、（ｄ）レベル設定部（１３）が、ユーザの入力に基づいて、第１画像の内容のレベルとしてのレベル情報を設定し、第１分類情報に含ませるステップを更に具備する。（ｃ）ステップは、（ｃ４）保存設定部（１４）が、第１情報保存部に新たに第１画像を記憶するとき、第１情報保存部に充分な空きが無い場合、レベル情報に基づいて、第１情報保存部に既に記憶されている既存画像のうちのレベルの最も低い画像を除いて、第１画像を記憶する領域を確保するステップを更に備える。
【００３３】
上記の画像整理方法において、携帯情報端末装置（１）は、抽出部（１６）を更に備える。画像整理方法は、（ｅ）抽出部（１６）が、複数の分類情報のうちの少なくとも一つとしての選択分類情報に基づいて、記憶部（１５）から選択分類情報に対応する画像を抽出するステップを更に具備する。
【００３４】
上記の画像整理方法において、携帯情報端末装置（１）は、レベル設定部（１３）を更に備える。画像整理方法は、（ｆ）レベル設定部（１３）が、ユーザの入力に基づいて、第１画像の内容のレベルとしてのレベル情報を設定し、第１分類情報に含ませるステップを更に備える。（ｅ）ステップは、（ｅ１）抽出部（１６）が、レベル情報に基づいて、記憶部（１５）から選択分類情報に対応する画像を抽出するステップを備える。
【００３５】
上記課題を解決するために、本発明の画像整理方法は、携帯情報端末装置（１）と通信が可能な情報処理装置を用いた画像整理方法である。ここで、携帯情報端末装置（１）は、ユーザの操作に基づいて、第１画像を撮影する撮影部（１２）と、ユーザの入力に基づいて、画像を分類する複数の携帯画像分類情報のうちの少なくとも一つを、第１画像の第１携帯画像分類情報として設定する付加情報設定部（１１）と、複数の携帯画像分類情報のうちの少なくとも一つに関連付けられた複数の携帯画像保存部を備える携帯記憶部（１５）と、複数の携帯画像保存部のうちの第１携帯画像分類情報に関連付けられた第１携帯画像保存部に第１画像を記憶する携帯画像保存設定部（１４）とを備える。情報処理装置は、記憶部（２３）と取込設定部（２２）とを備える。記憶部（２３）は、画像を分類するための複数の画像分類情報のうちの少なくとも一つに関連付けられた複数の画像保存部を含む。画像整理方法は、（ａ）取込設定部（２２）が、複数の画像保存部の各々における複数の画像分類情報と、複数の携帯画像保存部の各々における複数の携帯画像分類情報とを比較するステップと、（ｂ）取込設定部（２２）が、複数の画像保存部のうち、複数の画像分類情報のうちの第１携帯画像分類情報に対応するものに関連付けられた第１画像保存部に、第１画像を取り込むステップとを具備する。
【００３６】
上記の画像整理方法において、取込設定部（２２）は、取込条件選択部（４７）と取込条件記憶部（４６）と付加情報識別部（４５）とを含む。（ｂ）ステップは、（ｂ１）取込条件選択部（４７）が、ユーザの入力に基づいて、複数の画像保存部の各々を、複数の画像分類情報のうちの少なくとも一つと関連付けるステップと、（ｂ２）取込条件記憶部（４６）が、複数の画像保存部と複数の画像分類情報との関連付けを示す画像関連付け情報を記憶するステップと、（ｂ３）付加情報識別部（４５）が、画像関連付け情報に基づいて、第１画像保存部に第１画像を取り込むステップとを備える。
【００３７】
上記の画像整理方法において、情報処理装置は、付加情報登録部（４１）と付加情報記憶部（４２）と設定同期部（１５）とを更に備える。画像整理方法は、（ｃ）付加情報登録部（４１）が、ユーザの入力に基づいて、複数の画像分類情報を登録するステップと、（ｄ）付加情報記憶部（４２）が、登録された複数の画像分類情報を記憶するステップと、（ｅ）設定同期部（１５）が、複数の画像分類情報と複数の携帯画像分類情報とが同じでない場合、両者が同じになるように複数の画像分類情報及び複数の携帯画像分類情報の各々について不足分を追加するステップとを更に具備する。
【００３８】
上記の画像整理方法において、携帯情報端末装置（１）は、ユーザの入力に基づいて、第１画像の内容のレベルとしての携帯画像レベル情報を設定し、第１携帯画像分類情報に含ませるレベル設定部（１３）を更に備える。複数の画像分類情報は、画像の内容のレベルを示すレベル情報を含む。
【００３９】
上記の画像整理方法において、情報処理装置は、抽出部（２４）を更に備える。（ｆ）抽出部（２４）が、複数の画像分類情報のうちの少なくとも一つとしての選択分類情報に基づいて、記憶部（２３）から選択分類情報に対応する画像を抽出するステップを更に具備する。
【００４０】
上記課題を解決するために、本発明のプログラムは、携帯情報端末装置（１）を用いた画像整理方法を実行するためのプログラムである。ここで、携帯情報端末装置（１）は、撮影部（１２）と付加情報設定部（１１）と記憶部（１５）と保存設定部（１４）とを備える。記憶部（１５）が複数の分類情報のうちの少なくとも一つに関連付けられた複数の情報保存部を含む。プログラムは、（ａ）撮影部（１２）が、ユーザの操作に基づいて、第１画像を撮影するステップと、（ｂ）付加情報設定部（１１）が、ユーザの入力に基づいて、画像を分類するための複数の分類情報のうちの少なくとも一つを、第１画像の第１分類情報として設定するステップと、（ｃ）保存設定部（１４）が、複数の情報保存部のうちの第１分類情報に関連付けられた第１情報保存部に第１画像を記憶するステップとを具備する画像整理方法を実行する。
【００４１】
上記のプログラムにおいて、付加情報設定部（１１）は、付加情報登録部（３１）と付加情報記憶部（３２）と付加情報選択部（３３）とを含む。（ｂ）ステップは、（ｂ１）付加情報登録部（３１）が、ユーザの入力に基づいて、複数の分類情報を登録するステップと、（ｂ２）付加情報記憶部（３２）が、登録された複数の分類情報を記憶するステップと、（ｂ３）付加情報選択部（３３）が、ユーザの入力に基づいて、記憶された複数の分類情報のうちの少なくとも一つを第１分類情報として選択し、第１画像に関連付けるステップとを備える。
【００４２】
上記のプログラムにおいて、保存設定部（１４）は、保存条件選択部（３７）と保存条件記憶部（３６）と付加情報識別部（３５）とを含む。（ｃ）ステップは、（ｃ１）保存条件選択部（３７）が、ユーザの入力に基づいて、複数の情報保存部の各々を、複数の分類情報のうちの少なくとも一つと関連付けるステップと、（ｃ２）保存条件記憶部（３６）が、複数の情報保存部と複数の分類情報との関連付けを示す関連付け情報を記憶するステップと、（ｃ３）付加情報識別部（３５）が、関連付け情報に基づいて、第１情報保存部に第１画像を記憶するステップとを備える。
【００４３】
上記のプログラムにおいて、携帯情報端末装置（１）は、レベル設定部（１３）を更に備える。プログラムは、（ｄ）レベル設定部（１３）が、ユーザの入力に基づいて、第１画像の内容のレベルとしてのレベル情報を設定し、第１分類情報に含ませるステップを更に具備する。（ｃ）ステップは、（ｃ４）保存設定部（１４）が、第１情報保存部に新たに第１画像を記憶するとき、第１情報保存部に充分な空きが無い場合、レベル情報に基づいて、第１情報保存部に既に記憶されている既存画像のうちのレベルの最も低い画像を除いて、第１画像を記憶する領域を確保するステップを更に備える。
【００４４】
上記のプログラムにおいて、携帯情報端末装置（１）は、抽出部（１６）を更に備える。プログラムは、（ｅ）抽出部（１６）が、複数の分類情報のうちの少なくとも一つとしての選択分類情報に基づいて、記憶部（１５）から選択分類情報に対応する画像を抽出するステップを更に具備する。
【００４５】
上記のプログラムにおいて、携帯情報端末装置（１）は、レベル設定部（１３）を更に備える。プログラムは、（ｆ）レベル設定部（１３）が、ユーザの入力に基づいて、第１画像の内容のレベルとしてのレベル情報を設定し、第１分類情報に含ませるステップを更に備える。（ｅ）ステップは、（ｅ１）抽出部（１６）が、レベル情報に基づいて、記憶部（１５）から選択分類情報に対応する画像を抽出するステップを備えるる。
【００４６】
上記課題を解決するために、本発明のプログラムは、携帯情報端末装置（１）と通信が可能な情報処理装置を用いた画像整理方法を実行するためのプログラムである。ここで、携帯情報端末装置（１）は、ユーザの操作に基づいて、第１画像を撮影する撮影部（１２）と、ユーザの入力に基づいて、画像を分類する複数の携帯画像分類情報のうちの少なくとも一つを、第１画像の第１携帯画像分類情報として設定する付加情報設定部（１１）と、複数の携帯画像分類情報のうちの少なくとも一つに関連付けられた複数の携帯画像保存部を備える携帯記憶部（１５）と、複数の携帯画像保存部のうちの第１携帯画像分類情報に関連付けられた第１携帯画像保存部に第１画像を記憶する携帯画像保存設定部（１４）とを備える。情報処理装置は、記憶部（２３）と取込設定部（２２）とを備える。記憶部（２３）は、画像を分類するための複数の画像分類情報のうちの少なくとも一つに関連付けられた複数の画像保存部を含む。プログラムは、（ａ）取込設定部（２２）が、複数の画像保存部の各々における複数の画像分類情報と、複数の携帯画像保存部の各々における複数の携帯画像分類情報とを比較するステップと、（ｂ）取込設定部（２２）が、複数の画像保存部のうち、複数の画像分類情報のうちの第１携帯画像分類情報に対応するものに関連付けられた第１画像保存部に、第１画像を取り込むステップとを具備する画像整理方法を実行する。
【００４７】
上記のプログラムにおいて、取込設定部（２２）は、取込条件選択部（４７）と取込条件記憶部（４６）と付加情報識別部（４５）とを含む。（ｂ）ステップは、（ｂ１）取込条件選択部（４７）が、ユーザの入力に基づいて、複数の画像保存部の各々を、複数の画像分類情報のうちの少なくとも一つと関連付けるステップと、（ｂ２）取込条件記憶部（４６）が、複数の画像保存部と複数の画像分類情報との関連付けを示す画像関連付け情報を記憶するステップと、（ｂ３）付加情報識別部（４５）が、画像関連付け情報に基づいて、第１画像保存部に第１画像を取り込むステップとを備える。
【００４８】
上記のプログラムにおいて、情報処理装置は、付加情報登録部（４１）と付加情報記憶部（４２）と設定同期部（１５）とを更に備える。プログラムは、（ｃ）付加情報登録部（４１）が、ユーザの入力に基づいて、複数の画像分類情報を登録するステップと、（ｄ）付加情報記憶部（４２）が、登録された複数の画像分類情報を記憶するステップと、（ｅ）設定同期部（１５）が、複数の画像分類情報と複数の携帯画像分類情報とが同じでない場合、両者が同じになるように複数の画像分類情報及び複数の携帯画像分類情報の各々について不足分を追加するステップとを更に具備する。
【００４９】
上記のプログラムにおいて、携帯情報端末装置（１）は、ユーザの入力に基づいて、第１画像の内容のレベルとしての携帯画像レベル情報を設定し、第１携帯画像分類情報に含ませるレベル設定部（１３）を更に備える。複数の画像分類情報は、画像の内容のレベルを示すレベル情報を含む。
【００５０】
上記のプログラムにおいて、情報処理装置は、抽出部（２４）を更に備える。（ｆ）抽出部（２４）が、複数の画像分類情報のうちの少なくとも一つとしての選択分類情報に基づいて、記憶部（２３）から選択分類情報に対応する画像を抽出するステップを更に具備する。
【発明の効果】
【００５１】
本発明により、ユーザが画像を撮影するとき、ユーザが分類したい条件に基づき撮影画像を自動的に分類、仕分けすることが可能となる。また、ユーザが撮影画像を整理するとき、ユーザが分類したい条件で分類、仕分を行い、その手間を大幅に削減することが可能となる。ユーザが撮影画像を検索するとき、的確な検索が可能となる。撮影画像のうち、上手く撮影できたものを優先的に保存することが容易になる。
【発明を実施するための最良の形態】
【００５２】
以下、本発明の携帯情報端末装置、情報処理装置、及び、画像整理方法の実施の形態に関して、添付図面を参照して説明する。
【００５３】
まず、本発明の携帯情報端末装置及び情報処理装置の実施の形態の構成について説明する。図１は、本発明の携帯情報端末装置及び情報処理装置の実施の形態の構成を示すブロック図である。
【００５４】
携帯情報端末装置は、撮影装置を含み携帯可能な情報処理装置であり、カメラ付きの携帯電話やＰＤＡ（Ｐｅｒｓｏｎａｌ  Ｄｉｇｉｔａｌ  Ａｓｓｉｓｔａｎｔ）、ノート型パーソナルコンピュータに例示される。ここでは、携帯電話１を例に説明する。携帯電話１は、撮影部１２、付加情報設定部１１、レベル設定部１３、保存設定部１４、画像記憶部１５、抽出部１６、及び画像処理部１７を具備する。これらは、ハードウエア、ソフトウエア、及び、それらの組み合わせのいずれかにより実現される。
【００５５】
撮影部１２は、静止画や動画（撮影画像）を撮影する。付加情報設定部１１は、画像を分類する分類情報（キーワード）を登録／編集／削除、選択する。そして、ユーザの入力に基づいて、複数の分類情報（キーワード）のうちの少なくとも一つを、撮影画像の分類情報として設定する。レベル設定部１３は、撮影画像の内容のレベルを選択する。画像記憶部１５は、複数の分類情報及びレベルのうちの少なくとも一つに関連付けられた複数の保存場所（フォルダ）を備える。そして、複数の保存場所（フォルダ）のいずれかに撮影画像を保存する。保存設定部１４は、複数の分類情報及びレベルのうちの少なくとも一つと複数の保存場所（フォルダ）とを関連付けることで、撮影画像の保存条件を設定する。撮影画像に付加された分類情報及びレベルを識別する。そして、撮影画像を、その撮影画像の分類情報及びレベルに関連付けられた保存場所（フォルダ）へ記憶する。抽出部１６は、保存された撮影画像を抽出する条件を選択し、抽出する。画像処理部１７は、抽出した撮影画像について所望の画像処理を行う。
【００５６】
情報処理装置は、携帯情報端末装置と通信、画像取込可能な情報処理装置であり、ワークステーションやパーソナルコンピュータ（以下、「ＰＣ」ともいう）、ＤＶＤプレーヤのようなデジタル家電機器に例示される。ここでは、ＰＣ２を例にして説明する。ＰＣ２は、接続部３、付加情報設定部２１、取込設定部２２、画像記憶部２３、抽出部２４、及び画像処理部２５を具備する。これらは、ハードウエア、ソフトウエア、及び、それらの組み合わせのいずれかにより実現される。
【００５７】
接続部３は、携帯電話１とＰＣ２とを接続し、携帯電話１とＰＣ２との間で分類情報や設定の同期をとる。付加情報設定部２１は、携帯電話１の撮影画像に付加する情報を登録／編集／削除し記憶する。画像記憶部２３は、複数の分類情報及びレベルのうちの少なくとも一つに関連付けられた複数の保存場所（フォルダ）を備える。そして、携帯電話１から取り込んだ撮影画像（以下、「取込画像」ともいう）を複数の保存場所（フォルダ）のいずれかに保存する。取込設定部２２は、複数の分類情報及びレベルのうちの少なくとも一つと複数の保存場所（フォルダ）とを関連付けることで、撮影画像の取り込み条件を設定する。。取込画像に付加された分類情報及びレベルを識別する。そして、取込画像を、その取込画像の分類情報及びレベルに関連付けられた保存場所（フォルダ）へ記憶する。抽出部２４は、保存された画像に対し抽出する条件を選択し、抽出する。画像処理部２５は、抽出した取込画像の画像処理を実行する。
【００５８】
なお、ここでは、接続部３がＰＣ２に備えられているとして説明するが、携帯電話１に備えられていても良い。あるいは、携帯電話１でもＰＣ２でもない外部機器（図示されず）に備えられていても良い。
【００５９】
携帯電話１について更に説明する。
付加情報設定部１１は、付加情報登録部３１と付加情報記憶部３２と付加情報選択部３３を備える。
付加情報登録部３１は、ユーザの入力に基づいて、撮影画像に付加する分類情報（キーワード）を任意に登録／編集／削除する。付加情報記憶部３２は、登録等された分類情報（キーワード）を記憶する。付加情報選択部３３は、ユーザの入力に基づいて、撮影画像に付加する分類情報（キーワード）を選択し、撮影画像に関連付ける。
【００６０】
レベル設定部１３は、レベル選択部３４を備える。レベル選択部３４は、撮影部１２にて撮影した撮影画像に対し、「うまく撮れた」などのお気に入り度を示す情報（レベル）を選択し付加する。
【００６１】
保存設定部１４は、保存条件選択部３７、保存条件記憶部３６、及び付加情報識別部３５を備える。保存条件選択部３７は、ユーザの入力に基づいて、複数の保存場所に振り分けて保存するのに必要な情報（キーワード、レベル）、保存場所で保存する撮影画像の数（保存数）および優先保存の有無を、複数の保存場所（フォルダ）の各々ごとに選択し、関連付け、保存条件として設定する。保存条件記憶部３６は、設定した保存条件の内容を記憶する。付加情報識別部３５は、撮影画像に付加された情報（キーワード、レベル）と保存場所（フォルダ）の情報（キーワード、レベル）とを比較し、両者の適合を判断する。そして、両者が一致するとき、その画像記憶部１５の保存場所（フォルダ）に撮影画像を振り分ける。
【００６２】
抽出部１６は、抽出条件選択部１６ａを備える。抽出条件選択部１６ａは、ユーザの入力に基づいて、画像処理部１７にて処理する対象の画像を、付加情報記憶部３６に記憶した情報（キーワード）およびお気に入り度（レベル）によって抽出する。
【００６３】
ＰＣ２について更に説明する。
接続部３は、設定同期部４３と接続部４４とを備える。接続部４４は、ＰＣ２が携帯電話１の撮影画像を取り込むとき、有線や無線、記録媒体を介して携帯電話１と接続する。設定同期部４３は、付加情報登録部３１及び付加情報登録部４１で設定した内容の同期をとる。
【００６４】
付加情報設定部２１は、付加情報登録部４１と付加情報記憶部４２とを備える。付加情報登録部４１は、携帯電話１での付加情報登録部３１と同様の機能を持ち、携帯電話１で使用する情報（キーワード）を登録／編集／削除する。付加情報記憶部４２は付加情報登録部４１にて登録等された分類情報（キーワード）を記憶する。
【００６５】
取込設定部２２は、取込条件選択部４７、取込条件記憶部４６、及び付加情報識別部４５を備える。取込条件選択部４７は、ユーザの入力に基づいて、情報（キーワード、レベル）、保存数および優先保存有無を、複数の保存場所（フォルダ）の各々ごとに選択し、関連付け、取込条件として設定する。取込条件記憶部４６は、設定した取込条件の内容を記憶する。付加情報識別部４５は、撮影画像に付加された情報（キーワード、レベル）と保存場所（フォルダ）とを比較し、両者の適合を判断する。そして、両者が一致するとき、その画像記憶部２３の保存場所（フォルダ）に撮影画像を振り分ける。
【００６６】
抽出部２４は、抽出条件選択部２４ａを備える。抽出条件選択部２４ａは、ユーザの入力に基づいて、画像処理部２５にて処理する対象の画像を情報（キーワード）およびお気に入り度（レベル）によって抽出する。
【００６７】
図２は、本発明の携帯情報端末装置及び情報処理装置の実施の形態のハードウエア構成を示すブロック図である。
【００６８】
携帯情報端末装置としての携帯電話１は、ＣＰＵ２０１、メモリ２０２、不揮発性メモリ２０３、通信部２０４、入力部２０５、表示部２０６、カメラ２０７、Ｉ／Ｆ２０８を備え、それらは互いにバス２０９で接続されている。付加情報設定部１１、レベル設定部１３、保存設定部１４、抽出部１６、及び画像処理部１７は、ここでは、プログラムとして不揮発性メモリ２０３内に格納されている。それらは、動作時にメモリ２０２に展開され、ＣＰＵ２０１により実行される。画像記憶部１５は、ここでは、不揮発性メモリ２０３の一部に対応する。撮影部１２は、ここでは、カメラ２０７に対応する。各プログラムの動作時におけるユーザの入力は、入力部２０５としてのボタン（例示：数字ボタン、機能ボタン）を介して行われる。撮影時の画像の表示や各プログラムの動作時の表示は、表示部２０６としてのディスプレイにより行われる。携帯電話の通常の通信は通信部２０４で行われる。Ｉ／Ｆ２０８は、ＰＣ２とのインターフェースである。
【００６９】
情報処理装置としてのＰＣ２は、ＣＰＵ２２１、メモリ２２２、ＨＤＤ２２３、入力部２２５、表示部２２６、ＤＶＤ／ＣＤドライブ２２７、Ｉ／Ｆ２２８を備え、それらは互いにバス２２９で接続されている。接続部３、付加情報設定部２１、取込設定部２２、抽出部２４、及び画像処理部２５は、ここでは、プログラムとしてＨＤＤ２２３内に格納されている。それらは、動作時にメモリ２２２に展開され、ＣＰＵ２２１により実行される。画像記憶部２３は、ここでは、ＨＤＤ２２３の一部、又は、ＤＶＤ／ＣＤドライブ２２７中のＤＶＤやＣＤに対応する。各プログラムの動作時におけるユーザの入力は、入力部２２５としてのキーボードやマウスを介して行われる。撮影画像の表示や各プログラムの動作時の表示は、表示部２２６としてのディスプレイにより行われる。Ｉ／Ｆ２２８は、携帯電話１とのインターフェースである。
【００７０】
次に、本発明の携帯情報端末装置及び情報処理装置の実施の形態の動作（画像整理方法）について説明する。
【００７１】
まず、携帯電話１の各部の動作について説明する。最初に、付加情報登録部３１の動作について説明する。図３は、本発明の画像処理方法における付加情報登録部３１の動作を示す図である。この図は、携帯電話１の撮影画像に添付される分類情報（キーワード）の登録／編集／削除方法を示している。
【００７２】
まず、キーワードの登録方法について説明する。
図３（ａ）を参照して、携帯電話１のディスプレイ５０に表示されたメニュー画面５１において、ユーザは、メニューの選択肢５１ａの中から写真／動画キーワード５１ｂという項目を選択する。これにより、付加情報登録部３１が起動する。
【００７３】
図３（ｂ）を参照して、付加情報登録部３１は、写真／動画キーワード画面５２をディスプレイ５０に表示する。ユーザは、写真／動画キーワード画面５２の選択肢５２ａから、キーワード追加５２ｂという項目を選択する。ただし、選択肢５２ａのキーワードは、付加情報記憶部３２に記憶されている。
【００７４】
図３（ｃ）を参照して、付加情報登録部３１は、キーワード追加画面５３をディスプレイ５０に表示する。ユーザは、キーワード追加画面５３に、入力部２０５のボタンを用いて、例えば、「旅行伊豆」５３ａと入力する。付加情報記憶部３２は、不揮発性メモリ２０３に格納されたキーワードに、「伊豆旅行」を追加する。
【００７５】
図３（ｄ）を参照して、付加情報登録部３１は、写真／動画キーワード画面５２をディスプレイ５０に表示する。そのとき、付加情報登録部３１は、追加したキーワード「伊豆旅行」５２ｃを含めて、キーワードを選択肢５２ａとして表示する。
【００７６】
次に、キーワードの編集又は削除方法について説明する。
図３（ａ）を参照して、携帯電話１のディスプレイ５０に表示されたメニュー画面５１において、ユーザは、メニューの選択肢５１ａの中から写真／動画キーワード５１ｂという項目を選択する。これにより、付加情報登録部３１が起動する。
【００７７】
図３（ｅ）を参照して、付加情報登録部３１は、写真／動画キーワード画面５２をディスプレイ５０に表示する。ユーザは、写真／動画キーワード画面５２の選択肢５２ａから、編集又は削除したいキーワード、例えば、「風景」５２ｄというキーワードを選択する。
【００７８】
図３（ｆ）を参照して、付加情報登録部３１は、「風景」５２ｄに続けて、ポップアップメニュー５２−１を表示する。ポップアップメニュー５２−１は、キーワード編集又はキーワード削除のいずれかをユーザに選択させる。ユーザは、「風景」５２ｄを削除したい場合、キーワード削除を選択する。ここでは、編集する場合について説明する。ユーザは、「風景」５２ｄを編集したい場合、入力部２０５のボタンを用いて、キーワード編集５２−１ａを選択する。
【００７９】
図３（ｇ）を参照して、付加情報登録部３１は、キーワード編集画面５４をディスプレイ５０に表示する。ユーザは、キーワード追加画面５４に、入力部２０５のボタンを用いて、例えば、「旅行伊豆」５４ａと入力する。付加情報記憶部３２は、不揮発性メモリ２０３に格納されたキーワードのうち、「風景」を「伊豆旅行」に変更する。
【００８０】
図３（ｈ）を参照して、付加情報登録部３１は、写真／動画キーワード画面５２をディスプレイ５０に表示する。そのとき、付加情報登録部３１は、編集したキーワード「伊豆旅行」５２ｅを含めて、キーワードを選択肢５２ａとして表示する。
【００８１】
このように、キーワードの登録／編集／削除は、携帯電話１のアプリケーションである付加情報登録部３１を用いて、ユーザが任意に行うことができる。予め代表的なキーワードを登録しておくことも考えられるが、予め登録されたキーワードもユーザが任意に編集／削除可能とする。
【００８２】
なお、上記各キーワードは、個々に独立している。しかし、内容が関連するもの同士を互いに関連付ける（リンクを付けする）ようにしても良い。具体的には、例えば、あるキーワードを入力／変更されたとき、付加情報登録部３１が、そのキーワードを既存のキーワードにリンクさせるか否かについて、ユーザに選択させる画面をディスプレイ５０に表示する。ユーザは、その画面に基づいて、入力／変更したキーワードを既存のキーワードにリンクするか否かを選択する。リンク付けをすることで、撮影時等に、あるキーワードを選択したとき、リンク付けされた他のキーワードを参考又は推奨キーワードとして自動的に表示することができる。リンク付けの情報は、テーブルとして付加情報記憶部３２に格納しておく。更に、リンク付けには、キーワードの階層化を含んでいても良い。キーワードの数が増えた場合、選択する作業に時間がかかる恐れがある。階層化しておけば、選択作業が容易となる。例えば、階層化として「家族」というキーワードの下に「お父さん」や「お母さん」などを設けるようにする。
【００８３】
図４は、本発明の画像処理方法における付加情報登録部３１の他の動作を示す図である。この図は、分類情報（キーワード）をボタン（例示：数字ボタン）に割り付ける方法を示している。
【００８４】
図４（ａ）を参照して、携帯電話１のディスプレイ５０に表示されたメニュー画面５１において、ユーザは、メニューの選択肢５１ａの中からキーワードボタン登録５１ｃという項目を選択する。これにより、付加情報登録部３１が起動する。
【００８５】
図４（ｂ）を参照して、付加情報登録部３１は、写真／動画キーワード画面５５をディスプレイ５０に表示する。ユーザは、写真／動画キーワード画面５５の選択肢５５ａから、ボタンに割り付けたいキーワード、例えば、「風景」５５ｂというキーワードを選択する。ただし、選択肢５５ａのキーワードは、付加情報記憶部３２に記憶されている。
【００８６】
図４（ｃ）を参照して、付加情報登録部３１は、登録キーワード画面５６をディスプレイ５０に表示する。登録キーワード画面５６には、数字ボタン（例示：数字ボタン「１」５６ａ）とそれに割り付けられたキーワード（例示：「お父さん」５６ｂ）とが表示されている。この例では、数字ボタン「９」５６ｃには、キーワードが割り付けられていない（位置５６ｄが空）。そのため、ユーザは、入力部２０５のボタンを用いて、数字ボタン「９」５６ｃを選択する。ただし、数字ボタンとキーワードとの関連付け（割付設定）は、付加情報記憶部３２に記憶されている。
【００８７】
図４（ｄ）を参照して、付加情報登録部３１は、数字ボタン「９」５６ｃにキーワード「風景」を登録する。そして、登録キーワード画面５６の位置５６ｄに「風景」を表示する。付加情報記憶部３２は、不揮発性メモリ２０３に格納された数字ボタンとキーワードとの関連付け（割付設定）に、数字ボタン「９」とキーワード「風景」との関連付けを追加する。
【００８８】
以上のようにして、ユーザの入力に基づいて、付加情報登録部３１が、事前にキーワード（分類情報）の登録、編集、及び削除を行い、付加情報記憶部３２が、キーワード（分類情報）の記憶を行うことが出来る。
【００８９】
次に、付加情報選択部３３の動作について説明する。図５は、本発明の画像処理方法における付加情報選択部３３の動作を示す図である。この図は、携帯電話１の撮影画像に分類情報（キーワード）を添付する方法を示している。
【００９０】
図５（ａ）を参照して、携帯電話１のディスプレイ５０に表示された任意の画面８０において、ユーザは、入力部２０５のボタンを用いて、撮影部１２（カメラ２０７）を起動する。
【００９１】
図５（ｂ）を参照して、撮影部１２は、カメラ２０７のレンズの向いている方向の映像を撮影し、ディスプレイ５０に画面８１として表示する。ただし、ディスプレイ５０に表示しているだけで、まだファイル化されてはいない。
【００９２】
図５（ｃ）を参照して、ユーザは、入力部２０５のボタンを用いて、付加情報選択部３３を起動し、サブメニュー画面８２をディスプレイ５０に表示させる。ユーザは、サブメニュー画面８２の選択肢８２ａから、キーワード選択８２ｂという項目を選択する。
【００９３】
図５（ｄ）を参照して、付加情報選択部３３は、写真／動画キーワード画面８３をディスプレイ５０に表示する。ユーザは、写真／動画キーワード画面８３の選択肢８３ａから、「お父さん」８３ｂ及び「風景」８３ｃというキーワードを選択する。付加情報選択部３３は、選択されたキーワードを、例えば、メモリ２０２に一次記憶する。本発明では、複数のキーワードを選択することが出来る。それにより、一つの撮影画像をいろいろなキーワードで分類、検索することが出来る。ただし、選択肢８３ａのキーワードは、付加情報記憶部３２に記憶されている。
【００９４】
このとき、例えば「お父さん」８３ｂに、他のキーワード、例えば「家族」がリンクしている場合、「お父さん」８３ｂの選択時に、付加情報選択部３３が自動的に“「家族」も選択しますか？Ｙｅｓ／Ｎｏ”という注意を促すウインドウをディスプレイ５０内に表示するようにしても良い。リンクに関する情報は、付加情報記憶部３２に格納されている。これにより、関連するキーワードを付け忘れることなく、確実に画像に付加することができる。
【００９５】
更に、図の例とは異なるが、キーワードが階層化され、「家族」というキーワードの下に「お父さん」や「お母さん」などが設けられている場合、例えば、以下のように対応できる。まず、ユーザが「家族」をクリックする。付加情報選択部３３は自動的に“「家族」を選択しますか？Ｙｅｓ／Ｎｏ”というウインドウをディスプレイ５０内に表示する。ユーザの選択後、付加情報選択部３３は自動的に、その下の階層の選択肢として、「お父さん」、「お母さん」、…、「選択終了」を表示する。ユーザはいずれかをクリックし、選択する。以下同様である。これにより、関連するキーワードを付け忘れることなく、確実に画像に付加することができる。
【００９６】
図５（ｅ）を参照して、操作部４９及びディスプレイ５０を有する携帯電話１において、撮影部１２は、再び、カメラ２０７のレンズの向いている方向の映像を撮影し、ディスプレイ５０に表示する。ユーザは、ボタン群４９ａとシャッターボタン４９ｂを有する操作部４９において、シャッターボタン４９ｂを押下する。それにより、撮影部１２は、ディスプレイ５０中の画面を撮影画像８１ａとしてファイル化する。その後、付加情報選択部３３は、予め選択したキーワード（ここでは、「お父さん」及び「風景」）を撮影画像に付加する。それらの情報は、不揮発性メモリ２０３の所定の領域に一時的に格納される。
【００９７】
図６は、本発明の画像処理方法における付加情報選択部３３の他の動作を示す図である。この図は、携帯電話１の撮影画像に分類情報（キーワード）を添付する他の方法を示している。
【００９８】
図６（ａ）を参照して、操作部４９及びディスプレイ５０を有する携帯電話１において、ユーザは、入力部２０５のボタンを用いて、撮影部１２及び付加情報選択部３３を起動する。
【００９９】
図６（ｂ）を参照して、まず、付加情報選択部３３が、キーワード画面８５をディスプレイ５０に表示する。キーワード画面８５には、ボタン群とキーワードとの関係８５ａが表示されている。ボタン群４９ａを有する操作部４９において、例えば、キーワードとして「風景」を選択する場合を考える。ユーザは、「風景」の割り当てを示す数字ボタン「４」８５ｂをキーワード画面８５で見て、数字ボタン「４」８５ｂに対応するボタン群４９ａの数字ボタン「４」４９ｃを押下する。それにより、「風景」がキーワードとして選択される。続けて他のボタンを押下することで、複数のキーワードを選択することが出来る。付加情報選択部３３は、選択されたキーワードを、例えば、メモリ２０２に一次記憶する。本発明では、複数のキーワードを選択するで、一つの撮影画像をいろいろなキーワードで分類、検索することが出来る。
【０１００】
図６（ｃ）を参照して、次に、撮影部１２が、カメラ２０７のレンズの向いている方向の映像を撮影し、ディスプレイ５０に表示する。ユーザは、操作部４９において、シャッターボタン４９ｂを押下する。それにより、撮影部１２は、ディスプレイ５０中の画面を撮影画像８１ａとして取り込む。その後、付加情報選択部３３は、予め選択したキーワード（ここでは、「風景」）を撮影画像に付加する。それらの情報は、不揮発性メモリ２０３の所定の領域に一時的に格納される。
【０１０１】
ただし、図６（ｂ）のステップは、以下のようにしても良い。
すなわち、図６（ｄ）を参照して、撮影部１２は、カメラ２０７のレンズの向いている方向の映像を撮影し、ディスプレイ５０に画面８１として表示する。同時に、付加情報選択部３３は、画面８１に重ねてキーワード画面８６をディスプレイ５０に表示する。このような表示は、αブレンド（半透明処理）を用いることで実現可能である。キーワード画面８６には、ボタン群とキーワードとの関係８６ａが表示されている。操作部４９において、例えば、キーワードとして「風景」を選択する場合を考える。ユーザは、「風景」の割り当てを示す数字ボタン「４」８６ｂをキーワード画面８６で見て、数字ボタン「４」８６ｂに対応するボタン群４９ａの数字ボタン「４」４９ｃを押下する。それにより、「風景」がキーワードとして選択される。続けて他のボタンを押下することで、複数のキーワードを選択することが出来る。本発明では、複数のキーワードを選択するで、一つの撮影画像をいろいろなキーワードで分類、検索することが出来る。
【０１０２】
なお、情報（キーワード）を撮影画像に付加する方法として、例えば、撮影画像の画像ファイル自体に書き込む方法（例示：Ｅｘｃｈａｎｇｅａｂｌｅ  Ｉｍａｇｅ  Ｆｉｌｅ  Ｆｏｒｍａｔ）や、画像ファイルとキーワードとを関連付けた付加情報テーブルを設けて管理する方法などを用いることが出来る。ここでは、付加情報選択部３３が、付加情報テーブルを設け、更新することとする。付加情報テーブルは、不揮発性メモリ２０３の所定の領域に格納される。
【０１０３】
このように、付加情報選択部３３は、ユーザの入力に基づいて、付加情報記憶部３２に記憶されている情報（キーワード）を選択し、撮影部１２にて撮影する撮影画像に付加することができる。
【０１０４】
なお、上記図５及び図６において、撮影画像の分類情報（キーワード）を選択するタイミングは、撮影前であるが、撮影後に行っても良い。例えば、撮影後に、図５（ｃ）−図５（ｄ）、図６（ｂ）、及び、図６（ｄ）のステップを実行するように設定する。以上のような撮影画像の分類情報（キーワード）を選択するタイミング、及び、選択する方法（図５、図６）は、設定で変更可能である。
【０１０５】
また、撮影画像に付加する分類情報（キーワード）が、しばらくの間変更されない場合（例示：旅行中など）、ユーザが分類情報（キーワード）を変更するまで、自動的に同一の分類情報（キーワード）を付加するようにすることも可能である。
【０１０６】
次に、レベル選択部３４の動作について説明する。
図７は、本発明の画像処理方法におけるレベル選択部３４の動作を示す図である。この図は、携帯電話１の撮影画像にお気に入り度を示す情報（レベル）を添付する方法を示している。ただし、ここでは、キーワードの選択に関する動作は省略している。
【０１０７】
図７（ａ）を参照して、携帯電話１のディスプレイ５０に表示された任意の画面８０において、ユーザは、入力部２０５のボタンを用いて、撮影部１２（カメラ２０７）を起動する。
【０１０８】
図７（ｂ）を参照して、撮影部１２は、カメラ２０７のレンズの向いている方向の映像を撮影し、ディスプレイ５０に画面８１として表示する。ただし、ディスプレイ５０に表示しているだけで、まだファイル化されてはいない。ユーザは、シャッターボタンを押下する。それにより、撮影部１２は、ディスプレイ５０中の画面を撮影画像８１ａとしてファイル化する。
【０１０９】
図７（ｃ）を参照して、撮影後、レベル選択部３４が起動する。レベル選択部３４は、撮影された撮影画像８１ａとレベル選択画面８７とを画面分割により同時に表示する。レベル選択画面８７は、「レベル」８７ａ、「比較」８７ｂ、「はい」８７ｃの３つのボタンを表示する。これらは、携帯電話の実のボタンのいずれかに対応している。「レベル」８７ａボタンは、レベルを表す数値をユーザが直接入力する画面につながる。「比較」８７ｂボタンは、レベルが付加された過去の撮影画像を単数または複数表示させ、ユーザが今撮影した撮影画像と過去の撮影画像とを比較する画面につながる。比較結果により、レベル選択部３４は、今撮影した撮影画像のレベルを自動的に設定する。「はい」８７ｃボタンは、その撮影画像を保存することを示す。
【０１１０】
図７（ｄ）を参照して、レベル選択部３４は、レベル比較画面８８をディスプレイ５０に表示する。レベル比較画面８８は、レベル入力動作中を示すタイトル８８ａ、今撮影した撮影画像８１ａ、過去の撮影画像８８ｂ１、質問画面８８ｃ、「いいえ」８８ｄ、「同じ」８８ｅ、「はい」８８ｆを含む。ユーザは、質問画面８８ｃの「右の画像よりｇｏｏｄですか？」に基づいて、今撮影した撮影画像８１ａと過去の撮影画像８８ｂ１とを比較する。そして、「いいえ」８８ｄ、「同じ」８８ｅ、「はい」８８ｆのいずれかを選択する。これらは、携帯電話の実のボタンのいずれかに対応している。
【０１１１】
図７（ｅ）を参照して、レベル選択部３４は、過去の撮影画像８８ｂ１を、次の過去の撮影画像８８ｂ２に交換する。ユーザは、同様に、質問画面８８ｃの「右の画像よりｇｏｏｄですか？」に基づいて、今撮影した撮影画像８１ａと過去の撮影画像８８ｂ２とを比較する。そして、「いいえ」８８ｄ、「同じ」８８ｅ、「はい」８８ｆのいずれかを選択する。過去の撮影画像８８ｂとして、例えば、各レベルごとに一つの代表的な撮影画像を用意しておく。例えば、５つのレベルが有る場合、５つの代表的な過去の撮影画像８８ｂを用意しておく。それらと今撮影した撮影画像８１ａとを順番に比較した結果から、今撮影した撮影画像８１ａがどのレベルであるかを自動的に判定できる。例えば、図７（ｄ）の撮影画像８８ｂ１がレベル３で、「はい」８８ｆが選択され、図７（ｅ）の撮影画像８８ｂ２がレベル５で、「いいえ」８８ｄが選択された場合、レベル選択部３４は、レベル４と判定する。代表的な過去の撮影画像は、サンプル画像でも良いし、それまで撮影したものでも良い。必要に応じて、図７（ｄ）、図７（ｅ）を繰り返す。
【０１１２】
図７（ｆ）を参照して、レベル選択部３４は、今撮影した撮影画像８１ａに重ねて、保存確認画面８９をディスプレイ５０に表示する。レベル選択部３４は、保存確認画面８９において、過去の撮影画像８８ｂと今撮影した撮影画像８１ａとを比較した結果に基づいて判定した、今撮影した撮影画像８１ａのレベルを表示する。ここでは、レベル４と判定したことを示す。ユーザは、その判定でよければ、「はい」を選択する。その場合、レベル選択部３４は、そのレベルを撮影画像に付加する。ユーザは、その判定で納得できなければ、「いいえ」を選択する。その場合、レベル選択部３４は、図７（ｃ）の状態に戻る。
【０１１３】
なお、情報（レベル）を撮影画像に付加する方法として、例えば、撮影画像の画像ファイル自体に書き込む方法（例示：Ｅｘｃｈａｎｇｅａｂｌｅ  Ｉｍａｇｅ  Ｆｉｌｅ  Ｆｏｒｍａｔ）や、画像ファイルとレベルとを関連付けた付加情報テーブルを設けて管理する方法などを用いることが出来る。ここでは、レベル選択部３４が、付加情報選択部３３の設けた付加情報テーブルを更新することとする。
【０１１４】
このように、レベル選択部３４は、ユーザの入力に基づいて、お気に入り度を示す情報（レベル）を選択し、撮影画像に付加することが出来る。レベルを選択するとき、レベルが付加された過去の撮影画像を単数または複数表示させ、その画像よりも優れているか否の選択をすることにより、付加するレベルの正確性を向上させることが出来る。
【０１１５】
次に、保存条件選択部３７の動作について説明する。図８は、本発明の画像処理方法における保存条件選択部３７の動作を示す図である。この図は、携帯電話１の撮影画像を格納するフォルダと分類情報（キーワード）及びレベルとを関連付ける方法を示している。
【０１１６】
図８（ａ）を参照して、携帯電話１のディスプレイ５０に表示されたメニュー画面５１において、ユーザは、メニューの選択肢５１ａの中から自動振り分け保存設定５１ｄという項目を選択する。これにより、保存条件選択部３７が起動する。
【０１１７】
図８（ｂ）を参照して、保存条件選択部３７は、フォルダ選択画面９１をディスプレイ５０に表示する。ユーザは、入力部２０５のボタンを用いて、フォルダ選択画面９１の選択肢９１ａから、条件設定をしたいフォルダ、例えば、フォルダ５−９１ｂを選択する。ここで、フォルダは、撮影画像を保存（記憶）する保存場所である。画像記憶部１５に含まれ、不揮発性メモリ２０３内に設定されている。
【０１１８】
図８（ｃ）を参照して、保存条件選択部３７は、キーワード選択画面９２をディスプレイ５０に表示する。ユーザは、入力部２０５のボタンを用いて、キーワード選択画面９２の選択肢９２ａから、所望のキーワード、例えば、運動会９２ｂを選択する。キーワードは続けていくつでも選択可能とする。選択が終了したら、ユーザは、入力部２０５の所定のボタンを押下する。ただし、選択肢９２ａのキーワードは、付加情報記憶部３２に記憶されている。
【０１１９】
図８（ｄ）を参照して、保存条件選択部３７は、次に、キーワード選択画面９２をレベル選択画面９３に切り替える。ユーザは、入力部２０５のボタンを用いて、レベル選択画面９３の選択肢９３ａから、所望のレベル、例えば、レベル２−９３ｂを選択する。選択が終了したら、ユーザは、入力部２０５の所定のボタンを押下する。保存条件記憶部３６は、選択されたフォルダに設定された保存条件（フォルダとキーワード及びレベルとの関連付け）を不揮発性メモリ２０３の所定の領域に格納する。
【０１２０】
本発明において、フォルダに対して設定する条件は、上記のキーワードやレベルだけに限られるものではない。その他の条件として、保存数（保存する撮影画像の数）や、優先保存（レベルの高い撮影画像を優先的に保存する）の有無が考えられる。
【０１２１】
このように、保存条件選択部３７は、撮影画像の保存場所（フォルダ）の条件（キーワード、レベル）を自由に設定することができる。予め保存場所の条件を設定しておくことで、保存後の撮影画像の分類や検索のような取り扱いを容易行うことができる。
【０１２２】
次に、付加情報識別部３５の動作について説明する。図９は、本発明の画像処理方法における付加情報識別部３５の動作を示す図である。この図は、携帯電話１の撮影画像をフォルダに格納する方法を示している。
【０１２３】
図９（ａ）は、保存条件選択部３７がフォルダに設定した保存条件１０１を示している。保存条件１０１は、各保存場所（フォルダ）１０２と、キーワード１０３及びレベル１０４との関連付けを示している。一方、図９（ｂ）は、付加情報選択部３３とレベル選択部３４とが撮影画像に設定した付加情報テーブル１１１を示している。付加情報テーブル１１１は、撮影画像（ファイル）１１２とキーワード１１３及びレベル１１４との関連付けを示している。付加情報識別部３５は、まず、保存条件１０１と付加情報テーブル１１１との適合チェックを行う。すなわち、キーワード１０３及びレベル１０４を全て含むキーワード１１３及びレベル１１４を検索する。
【０１２４】
そして、付加情報識別部３５は、検索結果に基づいて、キーワード１０３及びレベル１０４を有する画像記憶部３５の保存場所に、キーワード１０３及びレベル１０４を全て含むキーワード１１３及びレベル１１４を有する撮影画像を保存する。その結果としての対応関係を示しているのが図９（ｃ）である。図９（ｃ）は、撮影画像の保存場所を示す保存場所テーブル１２１を示している。保存場所テーブル２１は、保存場所１２２と撮影画像（ファイル）１２３とを関連付けている。ただし、保存場所１２２は、保存場所１０２に対応し、画像記憶部１５内に設けられている。撮影画像１２３は、撮影画像１１２に対応する。
【０１２５】
このように、付加情報識別部３５は、予め条件を設定していた保存場所（フォルダ）に、撮影画像を容易に格納することが可能となる。
【０１２６】
なお、キーワード１０３及びレベル１０４の組み合わせによって、一つの撮影画像が画像記憶部３５の複数の保存場所に格納されても良い。そのような場合、撮影画像を記憶する方法として、例えば、撮影画像の画像ファイル自体は、一つの保存場所に格納しておき、他の保存場所ではその保存場所へのリンク情報を格納しておく方法が考えられる。又は、撮影画像を所定の記憶領域に格納し、各保存場所にはその記憶領域へのリンク情報を格納しておく方法が考えられる。これらの方法により、同じ撮影画像を重複して保存することによる必要な記憶領域の増加を抑制することができる。
【０１２７】
図１０〜図１３は、本発明の画像処理方法における付加情報識別部３５の他の動作を示す図である。この図は、携帯電話１の撮影画像をフォルダに格納する他の方法を示している。
【０１２８】
図１０は、ある第１フォルダに格納されている撮影画像の付加情報テーブル１１１ａを示している。ここでは、例えば、第１フォルダに撮影画像１１２として１５個の画像ファイル（Ｆｉｌｅ０１〜Ｆｉｌｅ１５）が格納されているとする。そして、第１フォルダの最大保存数は、１５個に設定されているとする。図１１は、新たに撮影した撮影画像の付加情報テーブル１１６を示している。この付加情報テーブル１１６には、撮影画像１１７として５個の画像ファイル（Ｆｉｌｅ１６〜Ｆｉｌｅ２０）を示している。すなわち、第１フォルダに格納したい画像ファイルが２０個あることになる。
【０１２９】
付加情報識別部３５は、設定により、第１フォルダに最大で１５個の画像ファイルまでしか格納できないので、所定の条件で、２０個の画像ファイルを１５個に絞る必要がある。ここでは、お気に入り度（レベル）の高い撮影画像を残し、低い撮影画像を取り除いて予め指定した別の保存場所に移動させる。お気に入り度（レベル）が同一の場合は撮影日付の新しいものを優先する。その結果として、第１フォルダに格納される撮影画像の付加情報テーブルを示しているのが図１２である。図１２は、第１フォルダに新たに格納された撮影画像に関する更新された付加情報テーブル１１１ｂを示している。図１３は、取り除かれ別の場所へ移動した撮影画像に関する更新された付加情報テーブル１１１ｃを示している。
【０１３０】
このように、付加情報識別部３５は、予め条件を設定していた保存場所（フォルダ）に、予め設定していた数を超えないように撮影画像を格納することができる。これにより、第１フォルダとは異なる他のフォルダにとっては、第１フォルダの撮影画像が多すぎて記憶領域が無くなる事態を回避できる。第１フォルダにとっては、撮影画像が多すぎて画像ファイルを一部取り除かなければならない事態になっても、自動的に容易に必要性の低い撮影画像を取り除くことができる。全体としては、撮影画像の内容が偏ってしまう事態を回避することができる。
【０１３１】
次に、抽出条件選択部１６ａの動作について説明する。
図１４は、本発明の画像処理方法における抽出条件選択部１６ａの動作を示す図である。この図は、画像記憶部１５に格納された撮影画像を抽出する条件を選択する方法を示している。
【０１３２】
図１４（ａ）を参照して、ユーザは、入力部２０５のボタンを用いて、画像処理のアプリケーションを立ち上げる。画像処理部１７が立ち上がる。携帯電話１のディスプレイ５０に表示された画像処理のアプリケーションのスタート画面１３１において、ユーザは、画像選択ボタン１３１ａを押下する。これにより、抽出条件選択部１６ａが起動する。
【０１３３】
図１４（ｂ）を参照して、抽出条件選択部１６ａは、画像選択画面１３２をディスプレイ５０に表示する。ユーザは、画像選択画面１３２の選択肢１３２ａから、キーワード選択１３２ｂという項目を選択する。ただし、そのほかの選択として、例えば、フォルダ（保存場所）を直接選択することもでき、カメラ画像（撮影画像）を一つ一つ全て見るように選択することもできる。
【０１３４】
図１４（ｃ）を参照して、抽出条件選択部１６ａは、写真／動画キーワード画面１３３をディスプレイ５０に表示する。ユーザは、写真／動画キーワード画面１３３の選択肢１３３ａから、所望のキーワード、例えば、「お父さん」１３３ｂ及び「風景」１３３ｃを選択する。選択が終了したら、ユーザは、入力部２０５の所定のボタンを押下する。ただし、選択肢１３３ａのキーワードは、付加情報記憶部３２に記憶されている。
【０１３５】
図１４（ｄ）を参照して、抽出条件選択部１６ａは、レベル選択画面１３４をディスプレイ５０に表示する。ユーザは、レベル選択画面１３４の選択肢１３４ａから、所望のレベル、例えば、レベル２−１３４ｂを選択する。選択が終了したら、ユーザは、入力部２０５の所定のボタンを押下する。
【０１３６】
図１４（ｅ）を参照して、抽出条件選択部１６ａは、選択されたキーワード及びレベルを満たす撮影画像を、画像記憶部１５に格納された撮影画像から検索する。抽出条件選択部１６ａは、検索結果に基づいて、サムネール画面１３５をディスプレイ５０に表示する。サムネール画面１３５は、検索された複数の撮影画像１３５ａをサムネール形式で表示する。ユーザは、入力部２０５のボタンを用いて、所望の撮影画像を選択し、所望の画像処理を開始する。
【０１３７】
このように、抽出条件選択部１６ａは、ユーザの入力に基づいて、画像記憶部に格納された撮影画像をキーワードやレベルを用いて、迅速且つ的確に検索することができる。
【０１３８】
図１５は、本発明の画像処理方法における抽出条件選択部１６ａの他の動作を示す図である。この図は、画像記憶部１５に格納された撮影画像を抽出する条件を選択する他の方法を示している。
【０１３９】
図１５（ａ）を参照して、ユーザは、入力部２０５のボタンを用いて、画像処理のアプリケーションを立ち上げる。画像処理部１７が立ち上がる。携帯電話１のディスプレイ５０に表示された画像処理のアプリケーションのスタート画面１３１において、ユーザは、画像選択ボタン１３１ａを押下する。これにより、抽出条件選択部１６ａが起動する。
【０１４０】
図１５（ｂ）を参照して、抽出条件選択部１６ａは、画像選択画面１３２をディスプレイ５０に表示する。ユーザは、画像選択画面１３２の選択肢１３２ａから、ボタン検索１３２ｃという項目を選択する。
【０１４１】
図１５（ｃ）を参照して、抽出条件選択部１６ａは、操作部４９及びディスプレイ５０を有する携帯電話１において、キーワード選択画面１４０をディスプレイ５０に表示する。キーワード選択画面１４０には、数字ボタンとそれに割り付けられたキーワードとの対応が表示されている。ユーザは、キーワード選択画面１４０の選択肢１４０ａから、所望のキーワード、例えば、「風景」１４０ｃを選択するために、「風景」１４０ｃに対応する数字ボタン「４」４９ｃを押下する。選択が終了したら、ユーザは、入力部２０５の所定のボタンを押下する。
【０１４２】
図１５（ｄ）を参照して、抽出条件選択部１６ａは、レベル選択画面１４１をディスプレイ５０に表示する。ユーザは、レベル選択画面１４１の選択肢１４１ａから、所望のレベル、例えば、レベル２−１４１ｂを選択するために、レベル２−１４１ｂに対応する数字ボタン「２」４９ｄを押下する。選択が終了したら、ユーザは、入力部２０５の所定のボタンを押下する。
【０１４３】
図１５（ｅ）を参照して、抽出条件選択部１６ａは、選択されたキーワード及びレベルを満たす撮影画像を、画像記憶部１５に格納された撮影画像から検索する。抽出条件選択部１６ａは、検索結果に基づいて、サムネール画面１３５をディスプレイ５０に表示する。サムネール画面１３５は、検索された複数の撮影画像１３５ａをサムネール形式で表示する。ユーザは、入力部２０５のボタンを用いて、所望の撮影画像を選択し、所望の画像処理を開始する。
【０１４４】
このように、抽出条件選択部１６ａは、ユーザの入力に基づいて、画像記憶部１５に格納された撮影画像をキーワードやレベルを用いて、迅速且つ的確に検索することができる。
【０１４５】
次に、ＰＣ２の各部の動作について説明する。まず、付加情報登録部４１について説明する。
図１６は、本発明の画像処理方法における付加情報登録部４１の動作を説明する図である。ユーザは、ＰＣ２の入力部２２５としてのキーボードを操作して、付加情報登録部４１を立ち上げる。付加情報登録部４１は、表示部２２６としてのディスプレイにキーワード編集画面６１を表示する。キーワード編集画面６１は、キーワードを追加する場合に文字を入力される追加部６２、既に登録されているキーワードの一覧を示す登録キーワード部６４、登録完了を示す登録ボタン６３を備える。既に登録されているキーワードは、付加情報記憶部４２に格納されている。
【０１４６】
キーワードを新たに追加したい場合、ユーザは、入力部２２５としてのキーボードを操作して、追加部６２にキーワードを入力し、登録ボタン６３をマウスでクリックする。キーワードを編集したい場合、ユーザは、編集したいキーワードを選択し、入力部２２５としてのキーボードを操作して、新たなキーワードを上書きし、登録ボタン６３をマウスでクリックする。図１６は、登録キーワード部６４で、あるキーワードを「のみかい」６４ａで上書きしていることを示している。追加／変更されたキーワードは、付加情報記憶部４２に格納される。
【０１４７】
図１７は、本発明の画像処理方法における付加情報登録部４１の他の動作を説明する図である。ユーザは、ＰＣ２の入力部２２５としてのキーボードを操作して、付加情報登録部４１を立ち上げる。付加情報登録部４１は、表示部２２６としてのディスプレイにキーワード編集画面７１を表示する。キーワード編集画面７１は、携帯電話の機種を指定する機種指定部７２、携帯電話のボタンとキーワードとの関係を示す携帯電話イメージ部７３、キーワード編集部７４を備える。
【０１４８】
機種指定部７２は、ＰＣ２とデータの授受を行う携帯電話１の携帯電話会社＋機種７２ａを表示している。その携帯電話１の機種を変更したい場合、ユーザは、変更ボタン７２ｂを押下し、登録されている機種から選択する。携帯電話イメージ部７３は、携帯電話７２ａにおけるボタン（例示：数字ボタン「１」７３ａ）とキーワード（例示：「お父さん」７３ｂ）との関係を図示している。キーワード編集部７４は、ボタン（例示：数字ボタン「１」７４ａ）とキーワード編集枠７４ｂとを並べて表示している。既に登録されている携帯電話の機種、キーワードとボタンとの関係は、付加情報記憶部４２に格納されている。
【０１４９】
キーワードの変更は、キーワード編集枠７４ｂの内容を変更することで行う。例えば、数字ボタン「９」７４ｃに、新たにキーワードを割り付けたい場合、キーワード編集枠７４ｄに、所望のキーワードを入力する。ただし、プルダウンメニュー７４ｆで表示されるキーワードの選択肢７４ｇから選択しても良い。追加／変更されたキーワードは、付加情報記憶部４２に格納される。
【０１５０】
なお、上記各キーワードは、個々に独立している。しかし、内容が関連するもの同士を互いにリンク付けするようにしても良い。具体的には、例えば、あるキーワードを入力／変更されたとき、付加情報登録部４１が、そのキーワードを既存のキーワードにリンクさせるか否かについて、ユーザに選択させる画面をディスプレイに表示する。ユーザは、その画面に基づいて、入力／変更したキーワードを既存のキーワードにリンクするか否かを選択する。リンク付けをすることで、後であるキーワードを選択したとき、リンク付けされた他のキーワードを参考又は推奨キーワードとして自動的に表示することができる。リンク付けの情報は、テーブルとして付加情報記憶部４２に格納しておく。更に、リンク付けには、キーワードの階層化を含んでいても良い。キーワードの数が増えた場合、選択する作業に時間がかかる恐れがある。階層化しておけば、選択作業が容易となる。例えば、階層化として「家族」というキーワードの下に「お父さん」や「お母さん」などを設けるようにする。
【０１５１】
このように、付加情報登録部４１は、分類情報（キーワード）の登録／編集／削除方法を実行することができる。
【０１５２】
設定同期部４３の動作について説明する。
図１８は、本発明の画像処理方法における設定同期部４３の動作を説明する図である。設定同期部４３は、携帯電話１とＰＣ２とを接続部４４により接続したとき、携帯電話１の付加情報記憶部３２に格納されたキーワードと、ＰＣ２の付加情報記憶部４２に格納されたキーワードとを比較する。そして、両者に相違がある場合、この図のようなウインドウ１５１を、ＰＣ２の表示部２２６としてのディスプレイに表示する。この図では、コメント１５１ａでキーワードに相違があることを示す。ユーザは、ウインドウ１５１中の選択肢１５１ｂから所望の選択肢を選択する。
【０１５３】
「携帯電話・ＰＣのキーワードを足す」では、携帯電話側にありＰＣ側にないキーワードをＰＣ側に加え、且つ、携帯電話側になくＰＣ側にあるキーワードを携帯電話側に加える。「携帯電話のキーワードに合わせる」では、携帯電話側にありＰＣ側にないキーワードをＰＣ側に加え、且つ、携帯電話側になくＰＣ側にあるキーワードを無視する。「ＰＣのキーワードに合わせる」では、携帯電話側にありＰＣ側にないキーワードを無視し、且つ、携帯電話側になくＰＣ側にあるキーワードをＰＣ側に加える。加えられたキーワードは、それぞれ加情報記憶部３２及び付加情報記憶部４２に格納される。
【０１５４】
なお、キーワード同士のリンク付けについても、キーワードの同期に合わせてた同期を行う。例えば、キーワードにおいて「携帯電話・ＰＣのキーワードを足す」が選択された場合、自動的に「携帯電話・ＰＣのキーワードを足す」で同期を行う。
【０１５５】
図１９は、本発明の画像処理方法における設定同期部４３の他の動作を説明する図である。設定同期部４３は、携帯電話１とＰＣ２とを接続部４４により接続したとき、携帯電話１の付加情報記憶部３２に格納された数字ボタンとキーワードとの関連付け（割付設定）と、ＰＣ２の付加情報記憶部４２に格納された数字ボタンとキーワードとの関連付け（割付設定）とを比較する。そして、両者に相違がある場合、この図のようなウインドウ１５２を、ＰＣ２の表示部２２６としてのディスプレイに表示する。この図では、コメント１５２ａでキーワードに相違があることを示す。ユーザは、ウインドウ１５２中の選択肢１５２ｂから所望の選択肢を選択する。
【０１５６】
「携帯電話の割付設定に合わせる」では、ＰＣ側の割付設定を携帯電話側の割付設定に合わせる。その割付設定は、付加情報記憶部４２に格納される。「ＰＣの割付設定に合わせる」では、携帯電話側の割付設定をＰＣ側の割付設定に合わせる。その割付設定は、付加情報記憶部３２に格納される。
【０１５７】
このように、携帯電話１とＰＣ２との間でキーワードや割付設定が合わない場合、設定同期部４３は、ユーザの入力に基づいて、両者のキーワードや割付設定を調整することができる。これにより、携帯電話１からＰＣ２に撮影画像を取り込むとき、キーワードや割付設定の不整合による問題の発生を防止することができる。
【０１５８】
次に、取込条件選択部４７の動作について説明する。この取込条件選択部４７は、携帯電話１の画像記憶部１５からＰＣ２の画像記憶部２３へ撮影画像を取り込むときの条件及び保存場所を選択する。取込条件選択部４７は、ＰＣ２の表示部２２６のディスプレイに、キーワード及びレベルを表示する。ユーザは、その中から所望のキーワード及びレベルを取り込み条件として選択する。そして、その取込条件を特定の保存場所（画像記憶部２３内のフォルダ）に割り当てる。このようにして、キーワード及びレベルを組み合わせた複数の取込条件の組の各々が、複数の保管場所のいずれかと対応付けられる。取込条件記憶部４６は、複数の取込条件、複数の取込条件の組と複数の保管場所との関連付けを記憶する。
【０１５９】
このように、取込条件選択部４７は、携帯電話１の撮影画像の取込条件（キーワード、レベル）と保管場所（画像記憶部２３内のフォルダ）とを自由に設定することができる。予め取込条件と保管場所を設定しておくことで、携帯電話１から撮影画像を取り込んだとき、自動的に各保管場所へ振り分けられて保存することができる。それにより、分類する手間を大きく省くことができる。また、取り込み後の検索を容易行うことができる。
【０１６０】
次に、付加情報識別部４５の動作について説明する。図２０は、本発明の画像処理方法における付加情報識別部２０の動作を示す図である。この図は、携帯電話１の撮影画像をＰＣ２のフォルダに格納する方法を示している。
【０１６１】
図２０（ａ）は、取込条件選択部４７がフォルダに設定した取込条件１６５を示している。取込条件１６５は、画像記憶部２３の各保存場所（フォルダ）１６６と、キーワード１６７及びレベル１６８との関連付けを示している。一方、図２０（ｂ）は、画像記憶部１５に格納されている撮影画像と付加情報との関係を示す付加情報テーブル１６１を示している。付加情報テーブル１６１は、撮影画像（ファイル）１６２とキーワード１６３及びレベル１６４との関連付けを示している。付加情報識別部４５は、まず、取込条件１６５と付加情報テーブル１６１との適合チェックを行う。すなわち、キーワード１６７及びレベル１６８を全て含むキーワード１６３及びレベル１６４を検索する。
【０１６２】
そして、付加情報識別部４５は、検索結果に基づいて、キーワード１６７及びレベル１６８を有する画像記憶部２３の保存場所に、キーワード１６７及びレベル１６８を全て含むキーワード１６３及びレベル１６４を有する撮影画像を保存する。その結果としての対応関係を示しているのが図２０（ｃ）である。図２０（ｃ）は、撮影画像の保存場所を示す保存場所テーブル１７１を示している。保存場所テーブル１７１は、保存場所１７２と撮影画像（ファイル）１７３とを関連付けている。ただし、保存場所１７２は、保存場所１６６に対応し、画像記憶部２３内に設けられている。取込画像１７３は、撮影画像１６２に対応する。
【０１６３】
このように、付加情報識別部４５は、予め条件を設定していた画像記憶部２３の保存場所（フォルダ）に、撮影画像を容易に取り込むことが可能となる。
【０１６４】
次に、抽出条件選択部２４ａの動作について説明する。この抽出条件選択部２４ａは、ＰＣ２の画像記憶部２３から撮影画像を抽出するときの条件を選択する。ユーザは、入力部２２５のキーボードを用いて、画像処理のアプリケーションを立ち上げる。画像処理部２５が立ち上がる。抽出条件選択部２４ａは、ＰＣ２の表示部２２６のディスプレイに、キーワード及びレベルを表示する。ユーザは、その中から所望のキーワード及びレベルを選択条件として選択する。抽出条件選択部２４ａは、選択されたキーワード及びレベルを満たす撮影画像を、画像記憶部２３に格納された撮影画像から検索する。抽出条件選択部２４ａは、検索結果に基づいて、サムネール画面をディスプレイに表示する。サムネール画面は、検索された複数の撮影画像をサムネール形式で表示する。ユーザは、入力部２０５のボタンを用いて、所望の撮影画像を選択し、所望の画像処理を実行する。
【０１６５】
このようにして、画像処理用の撮影画像が画像記憶部２３から容易に検索することができる。
【０１６６】
図２１は、本発明の整理方法の実施の形態のパターンを示す概念図である。本発明では、携帯電話１とＰＣ２ａとの間での撮影画像の授受だけでなく、携帯電話１とデジタル家電２ｂ（例示：ＤＶＤプレーヤ）との間での撮影画像の授受においても同様に適用できる。また、記憶媒体４（例示：フラッシュメモリ、ＤＶＤやＣＤ）を介していても、同様に実施可能である。
【０１６７】
本発明において、付加情報設定部１１及びレベル選択部１３により、ユーザが画像を撮影するとき、ユーザが分類したい条件に基づいて撮影画像にキーワード及びレベルを付加することができる。それにより、保存設定部１４により、撮影画像を自動的に分類、仕分けして画像記憶部１５に記憶することが可能となる。
【０１６８】
また、本発明において、ユーザが分類したい条件で撮影画像を分類、仕分されて画像記憶部１５に記憶することができる。それにより、ユーザが撮影画像を整理するとき、撮影画像の分類、仕分けのような整理作業の手間を大幅に削減することが可能となる。
【０１６９】
更に、本発明において、ユーザが分類したい条件のキーワード及びレベルを撮影画像にきわめて容易に付加することができる。それにより、ユーザが撮影画像を検索するとき、当該キーワード及びレベルにより的確な検索を行うことができる。
【０１７０】
本発明において、ユーザが指定のキーワード及びレベルが撮影画像に付加されているので、撮影画像のうち、上手く撮影できたもののようなユーザ所望の条件を満たす撮影画像を容易に検索して、優先的に保存することができる。
【図面の簡単な説明】
【０１７１】
【図１】図１は、本発明の携帯情報端末装置及び情報処理装置の実施の形態の構成を示すブロック図である。
【図２】図２は、本発明の携帯情報端末装置及び情報処理装置の実施の形態のハードウエア構成を示すブロック図である。
【図３】図３は、本発明の画像処理方法における付加情報登録部３１の動作を示す図である。
【図４】図４は、本発明の画像処理方法における付加情報登録部３１の他の動作を示す図である。
【図５】図５は、本発明の画像処理方法における付加情報選択部３３の動作を示す図である。
【図６】図６は、本発明の画像処理方法における付加情報選択部３３の他の動作を示す図である。
【図７】図７は、本発明の画像処理方法におけるレベル選択部３４の動作を示す図である。
【図８】図８は、本発明の画像処理方法における保存条件選択部３７の動作を示す図である。
【図９】図９は、本発明の画像処理方法における付加情報識別部３５の動作を示す図である。
【図１０】図１０は、本発明の画像処理方法における付加情報識別部３５の他の動作を示す図である。
【図１１】図１１は、本発明の画像処理方法における付加情報識別部３５の他の動作を示す図である。
【図１２】図１２は、本発明の画像処理方法における付加情報識別部３５の他の動作を示す図である。
【図１３】図１３は、本発明の画像処理方法における付加情報識別部３５の他の動作を示す図である。
【図１４】図１４は、本発明の画像処理方法における抽出条件選択部１６ａの動作を示す図である。
【図１５】図１５は、本発明の画像処理方法における抽出条件選択部１６ａの他の動作を示す図である。
【図１６】図１６は、本発明の画像処理方法における付加情報登録部４１の動作を説明する図である。
【図１７】図１７は、本発明の画像処理方法における付加情報登録部４１の他の動作を説明する図である。
【図１８】図１８は、本発明の画像処理方法における設定同期部４３の動作を説明する図である。
【図１９】図１９は、本発明の画像処理方法における設定同期部４３の他の動作を説明する図である。
【図２０】図２０は、本発明の画像処理方法における付加情報識別部２０の動作を示す図である。
【図２１】図２１は、本発明の整理方法の実施の形態のパターンを示す概念図である。
【符号の説明】
【０１７２】
１    携帯電話
２、２ａ    ＰＣ
２ｂ    デジタル家電
３    接続部
４    記憶媒体
１１    付加情報設定部
１２    撮影部
１３    レベル設定部
１４    保存設定部
１５    画像記憶部
１６    抽出部
１６ａ    抽出条件選択部
１７    画像処理部
２１    付加情報設定部
２２    取込設定部
２３    画像記憶部
２４    抽出部
２４ａ    抽出条件選択部
２５    画像処理部
３１    付加情報登録部
３２    付加情報記憶部
３３    付加情報選択部
３４    レベル選択部
３５    付加情報識別部
３６    保存条件記憶部
３７    保存条件選択部
４１    付加情報登録部
４２    付加情報記憶部
４３    設定同期部
４４    接続部
４５    付加情報識別部
４６    取込条件記憶部
４７    取込条件選択部
４８    携帯電話
４９    操作部
５０    ディスプレイ
２０１    ＣＰＵ
２０２    メモリ
２０３    不揮発性メモリ
２０４    通信部
２０５    入力部
２０６    表示部
２０７    カメラ
２０８    Ｉ／Ｆ
２０９    バス
２２１    ＣＰＵ
２２２    メモリ
２２３    ＨＤＤ
２２５    入力部
２２６    表示部
２２７    ＤＶＤ／ＣＤドライブ
２２８    Ｉ／Ｆ
２２９    バス
【図１】
2007094518.tif 000003
【図２】
2007094518.tif 000004
【図３】
2007094518.tif 000005
【図４】
2007094518.tif 000006
【図５】
2007094518.tif 000007
【図６】
2007094518.tif 000008
【図７】
2007094518.tif 000009
【図８】
2007094518.tif 000010
【図９】
2007094518.tif 000011
【図１０】
2007094518.tif 000012
【図１１】
2007094518.tif 000013
【図１２】
2007094518.tif 000014
【図１３】
2007094518.tif 000015
【図１４】
2007094518.tif 000016
【図１５】
2007094518.tif 000017
【図１６】
2007094518.tif 000018
【図１７】
2007094518.tif 000019
【図１８】
2007094518.tif 000020
【図１９】
2007094518.tif 000021
【図２０】
2007094518.tif 000022
【図２１】
2007094518.tif 000023